(57)【特許請求の範囲】
【請求項１】
一つ以上の第１記憶装置と、一つ以上の第２記憶装置と、前記第１記憶装置にネットワークを介して接続される一つ以上のホスト計算機と、前記第１記憶装置、前記第２記憶装置及び前記ホスト計算機にアクセス可能な管理計算機と、を備える計算機システムであって、
前記第１記憶装置は、二つ以上の論理的なポートを有し前記ネットワークに接続される第１インタフェースと、前記第１インタフェースに接続される第１プロセッサと、前記第１プロセッサに接続される第１メモリと、前記ホスト計算機から書き込み要求されるデータを格納する第１ディスクドライブと、を備え、前記ホスト計算機からデータの書き込みを要求される第１記憶領域を前記ホスト計算機に提供し、
前記第２記憶装置は、一つ以上の論理的なポートを有し前記ネットワークに接続される第２インタフェースと、前記第２インタフェースに接続される第２プロセッサと、前記第２プロセッサに接続される第２メモリと、前記ホスト計算機から書き込み要求されるデータを格納する第２ディスクドライブと、を備え、
前記管理計算機は、外部に接続される第３インタフェースと、前記第３インタフェースに接続される第３プロセッサと、前記第３プロセッサに接続される第３メモリと、を備え、
前記第１インタフェースは、前記ホスト計算機と前記第１記憶装置との間に設定されているアクセスパスが経由する第１ポート、及び、前記第１記憶装置と前記第２記憶装置との間に設定されているアクセスパスが経由する第２ポートを含み、
前記第２インタフェースは、前記第１記憶装置と前記第２記憶装置との間に設定されているアクセスパスが経由する第３ポートを含み、
前記第２記憶装置は、
複数の前記第２ディスクドライブによってＲＡＩＤグループを構成し、
当該ＲＡＩＤグループを一つ以上の第２記憶領域として、前記第１記憶装置の第１記憶領域に書き込み要求されたデータを格納可能な記憶領域を備え、
前記第１メモリは、前記第１記憶装置の構成部位の論理的な接続関係を示す第１記憶領域構成情報を記憶し、
前記第２メモリは、前記第２記憶装置の構成部位の論理的な接続関係を示す第２記憶領域構成情報を記憶し、
前記第１記憶領域構成情報及び前記第２記憶領域構成情報は、前記第２ポートと前記第３ポートとの接続関係を含み、
前記第３プロセッサは、
前記第１メモリに記憶されている前記第１記憶領域構成情報及び前記第２メモリに記憶されている前記第２記憶領域構成情報のうち少なくとも一方を取得し、
前記取得した第１記憶領域構成情報及び第２記憶領域構成情報のうち少なくとも一方に基づいて、前記第１記憶装置及び前記第２記憶装置の構成部位の中から、前記ホスト計算機から書き込み要求されるデータの送信経路上に存在する前記第１ポート、前記第２ポート、前記第３ポート、前記第１記憶領域、前記第２記憶領域、前記第１ディスクドライブ、前記第２ディスクドライブ及び前記ＲＡＩＤグループのうち少なくとも一つを特定し、
前記特定した構成部位の性能情報を取得し、
前記取得した性能情報のうち前記第２ポートの性能情報を出力する場合、当該第２ポートが含まれるアクセスパスを含む前記第３ポートの性能表示の出力指示を受け付け可能なように出力し、
前記出力指示を受け付けた場合、前記第２ポートが含まれるアクセスパスを含む第３ポートを備える第２記憶装置の前記第３メモリに記憶されている前記第２記憶領域構成情報を取得し、
前記取得した第２記憶領域構成情報に基づいて、前記第２ポートが含まれるアクセスパスを含む前記第３ポートを特定し、
前記特定した第３ポートの性能情報を取得し、
前記取得した第３ポートの性能情報を出力することを特徴とする計算機システム。
【請求項２】
前記第１メモリは、前記第１記憶装置の構成部位の性能情報の履歴を管理する第１性能履歴情報を記憶し、
前記第２メモリは、前記第２記憶装置の構成部位の性能情報の履歴を管理する第２性能履歴情報を記憶し、
前記第３プロセッサは、
前記第１メモリに記憶されている前記第１性能履歴情報及び前記第２メモリに記憶されている前記第２性能履歴情報の少なくとも一方を取得し、
前記取得した第１性能履歴情報及び前記第２性能履歴情報の少なくとも一方から、前記特定した構成部位の性能情報を取得することを特徴とする請求項１に記載の計算機システム。
【請求項３】
前記第１記憶領域構成情報は、前記第１記憶領域と前記第２記憶領域との対応関係を含み、
前記第３プロセッサは、
前記第２ポートの性能情報を出力する場合、
前記第１記憶領域構成情報を取得し、前記取得した第１記憶領域構成情報から、前記第１記憶領域と前記第２記憶領域との対応関係を取得し、
前記取得した前記第１記憶領域と前記第２記憶領域との対応関係を、性能情報と共に出力することを特徴とする請求項１に記載の計算機システム。
【請求項４】
前記第１記憶領域は、仮想的な記憶領域であり、
前記第１プロセッサは、
ホスト計算機から前記第１記憶領域にデータの書き込みを要求されると、当該データを前記第１記憶領域に書き込まずに、前記第２記憶領域への当該データの書き込みを前記第２プロセッサに指示することを特徴とする請求項１に記載の計算機システム。
【請求項５】
前記第１記憶領域は、仮想的な記憶領域であり、
更に、前記第１記憶装置は、
複数の前記第１ディスクドライブによってＲＡＩＤグループを構成し、
当該ＲＡＩＤグループを一つ以上の第３記憶領域として、前記ホスト計算機から書き込み要求されるデータを格納可能な記憶領域を備え、
前記第３プロセッサは、
前記第１メモリに記憶されている前記第１記憶領域構成情報を取得し、
前記取得した第１記憶領域構成情報に基づいて、前記第１記憶装置の構成部位の中から、前記ホスト計算機から第３記憶領域に書き込み要求されるデータの送信経路上に存在する前記第１ポート、前記第２ポート、前記第３記憶領域、前記第１ディスクドライブ及び前記ＲＡＩＤグループのうち少なくとも一つを特定することを特徴とする請求項１に記載の計算機システム。
【請求項６】
前記第１プロセッサは、
複数の前記第１ディスクドライブによってＲＡＩＤグループを構成し、
当該ＲＡＩＤグループを一つ以上の前記第１記憶領域として前記ホスト計算機に提供し、
前記第１記憶領域に格納されるデータを、前記第２記憶装置の前記第２記憶領域に複製し、
前記第３プロセッサは、
前記取得した第１記憶領域構成情報及び第２記憶領域構成情報のうち少なくとも一方に基づいて、前記第１記憶装置及び前記第２記憶装置の構成部位の中から、前記第１記憶装置から前記第２記憶装置に送信される複製データの送信経路上に存在する前記第１ポート、前記第２ポート、前記第３ポート、前記第１記憶領域、前記第２記憶領域、前記第１ディスクドライブ、前記第２ディスクドライブ及び前記ＲＡＩＤグループのうち少なくとも一つを特定することを特徴とする請求項１に記載の計算機システム。
【請求項７】
一つ以上の第１記憶装置と、一つ以上の第２記憶装置と、前記第１記憶装置にネットワークを介して接続される一つ以上のホスト計算機と、に接続可能な管理計算機であって、
前記第１記憶装置は、
前記ホスト計算機から書き込み要求されるデータを格納する第１ディスクドライブと、二つ以上の論理的なポートを有する第１インタフェースと、を備え、
当該第１記憶装置の構成部位の接続関係を示す第１記憶領域構成情報を記憶し、
前記ホスト計算機からデータの書き込みを要求される第１記憶領域を前記ホスト計算機に提供し、
前記第２記憶装置は、
前記ホスト計算機から書き込み要求されるデータを格納する第２ディスクドライブと、一つ以上の論理的なポートを有する第２インタフェースと、を備え、
当該第２記憶装置の構成部位の接続関係を示す第２記憶領域構成情報を記憶し、
複数の前記第２ディスクドライブによってＲＡＩＤグループを構成し、
当該ＲＡＩＤグループを一つ以上の第２記憶領域とし、
前記第１記憶装置の第１記憶領域に書き込み要求されたデータを第２記憶領域に格納し、
前記第１インタフェースは、前記ホスト計算機と前記第１記憶装置との間に設定されているアクセスパスが経由する第１ポート、及び、前記第１記憶装置と前記第２記憶装置との間に設定されているアクセスパスが経由する第２ポートを含み、
前記第２インタフェースは、前記第１記憶装置と前記第２記憶装置との間に設定されているアクセスパスが経由する第３ポートを含み、
前記第１記憶領域構成情報及び前記第２記憶領域構成情報は、前記第２ポートと前記第３ポートとの接続関係を含み、
前記管理計算機は、
前記第１記憶装置に記憶されている前記第１記憶領域構成情報及び前記第２記憶装置に記憶されている前記第２記憶領域構成情報のうち少なくとも一方を取得する構成情報取得部と、
前記構成情報取得部が取得した前記第１記憶領域構成情報及び前記第２記憶領域構成情報のうち少なくとも一方に基づいて、前記第１記憶装置及び前記第２記憶装置の構成部位の中から、前記ホスト計算機から書き込み要求されるデータの送信経路上に存在する前記ポート、前記第１記憶領域、前記第２記憶領域、前記第１ディスクドライブ、前記第２ディスクドライブ及び前記ＲＡＩＤグループのうち少なくとも一つを特定する送信経路特定部と、
前記送信経路特定部が特定した構成部位の性能情報を取得する性能情報取得部と、
前記性能情報取得部が取得した性能情報を出力する画面制御部と、を備え、
前記画面制御部は、前記第２ポートの性能情報を出力する場合、当該第２ポートが含まれるアクセスパスを含む前記第３ポートの性能表示の出力指示を受け付け可能なように出力し、
前記第３プロセッサが前記出力指示を受け付けた場合、前記構成情報取得部は、前記第２ポートが含まれるアクセスパスを含む第３ポートを備える第２記憶装置の前記第３メモリに記憶されている前記第２記憶領域構成情報を取得し、
前記送信経路特定部は、前記取得した第２記憶領域構成情報に基づいて、前記第２ポートが含まれるアクセスパスを含む前記第３ポートを特定し、
前記性能情報取得部は、前記特定した第３ポートの性能情報を取得し、
前記画面制御部は、前記取得した第３ポートの性能情報を出力することを特徴とする管理計算機。
【請求項８】
前記第１記憶装置は、当該第１記憶装置の構成部位の性能情報の履歴を管理する第１性能履歴情報を記憶し、
前記第２記憶装置は、当該第２記憶装置の構成部位の性能情報の履歴を管理する第２性能履歴情報を記憶し、
前記性能情報取得部は、
前記第１記憶装置に記憶されている第１性能履歴情報及び前記第２記憶装置に記憶されている第２性能履歴情報の少なくとも一方を取得し、
前記取得した第１性能履歴情報及び第２性能履歴情報の少なくとも一方から、前記送信経路特定部が特定した構成部位の性能情報を取得することを特徴とする請求項７に記載の管理計算機。
【請求項９】
前記第１記憶領域構成情報は、前記第１記憶領域と前記第２記憶領域との対応関係を含み、
前記画面制御部は、
前記構成情報取得部が取得した前記第１記憶領域構成情報から、前記第１記憶領域と前記第２記憶領域との対応関係を取得し、
前記取得した前記第１記憶領域と前記第２記憶領域との対応関係を、性能情報と共に出力することを特徴とする請求項７に記載の管理計算機。
【請求項１０】
前記第１記憶領域は、仮想的な記憶領域であることを特徴とする請求項７に記載の管理計算機。
【請求項１１】
前記第１記憶領域は、仮想的な記憶領域であり、
前記第１記憶装置は、
複数の前記第１ディスクドライブによってＲＡＩＤグループを構成し、
当該ＲＡＩＤグループを一つ以上の第３記憶領域として、前記ホスト計算機から書き込み要求されるデータを格納する記憶領域を備え、
前記送信経路特定部は、前記構成情報取得部が取得した第１記憶領域構成情報に基づいて、前記第１記憶装置の構成部位の中から、前記ホスト計算機から前記第３記憶領域に書き込み要求されるデータの送信経路上に存在する前記第１ポート、前記第２ポート、前記第１ディスクドライブ及び前記ＲＡＩＤグループのうち少なくとも一つを特定することを特徴とする請求項７に記載の管理計算機。
【請求項１２】
前記第１記憶装置は、
複数の前記第１ディスクドライブによってＲＡＩＤグループを構成し、前記ＲＡＩＤグループを一つ以上の前記第１記憶領域として前記ホスト計算機に提供し、
前記第１記憶領域に格納されるデータを、前記第２記憶装置の前記第２記憶領域に複製し、
前記送信経路特定部は、前記第１記憶装置及び前記第２の記憶装置の構成部位の中から、前記第１の記憶装置から前記第２記憶装置に送信される複製データの送信経路上に存在する前記第１ポート、前記第２ポート、前記第３ポート、前記第１記憶領域、前記第２記憶領域、前記第１ディスクドライブ、前記第２ディスクドライブ及び前記ＲＡＩＤグループのうち少なくとも一つを特定することを特徴とする請求項７に記載の管理計算機。
【発明の詳細な説明】
【技術分野】
【０００１】
本発明は、計算機及び記憶装置を含む計算機システムに関し、特に、記憶装置の性能を管理する技術に関する。
【背景技術】
【０００２】
ディスクアレイ装置に代表される大規模な記憶装置は、複数の記憶領域を備える。そして、当該記憶装置は、複数の計算機に記憶領域を提供している。記憶装置の記憶領域には、計算機が実行するプログラム及び当該プログラムの実行に必要なデータが記憶されている。
【０００３】
複数の計算機にアクセスされる記憶装置には、高い性能の発揮が求められる。そこで、管理者は、複数の計算機を含む計算機システムを構築又は運用する際に、記憶装置の構成部位の性能指標値を分析する必要がある。
【０００４】
例えば、複数の計算機からのＩＯが、特定の物理ディスクグループ又は特定のポートなどに集中したとする。この場合、記憶装置は、ＩＯの競合によって、アクセス性能が低下してしまう。そこで、管理者は、記憶装置に負荷をかけている計算機を特定する必要がある。
【０００５】
記憶装置に負荷をかけている計算機を特定する技術が、特許文献１に開示されている。この技術によると、記憶領域と計算機とのマッピング情報に基づいて、記憶装置の物理ディスクグループ又は記憶装置のポートに負荷をかけている計算機を特定する。
【特許文献１】特開２００５−６２９４１号公報
【発明の開示】
【発明が解決しようとする課題】
【０００６】
前述した従来技術によると、負荷の高い物理ディスクグループ又はポートを利用している計算機を特定できるので、ＩＯの競合を検出できる。
【０００７】
しかし、この従来技術によると、記憶領域の仮想化機能又は複数記憶装置間での遠隔データコピー機能などを利用する計算機システムでは、データの送信経路が複数の装置にまたがっているので、ＩＯ競合の検出が困難となる。
【０００８】
管理者は、ＩＯが競合している構成部位を特定するためには、計算機システムのデータの送信経路を把握しなければならない。その上、管理者は、把握してる送信経路上の構成部位の性能情報を、性能取得ツール等によって取得しなければならない。更に、管理者は、これらを正しく関連付けて分析する必要がある。このように、ＩＯが競合している構成部位の特定作業は、管理者にとって大きな負担となる。
【０００９】
本発明は、前述した問題点に鑑みてなされたものであり、データの送信経路を考慮しながら、記憶装置の構成部位の性能を出力する管理計算機を提供することを目的とする。
【課題を解決するための手段】
【００１０】
本発明の代表的な実施形態によれば、一つ以上の第１記憶装置と、一つ以上の第２記憶装置と、前記第１記憶装置にネットワークを介して接続される一つ以上のホスト計算機と、前記第１記憶装置、前記第２記憶装置及び前記ホスト計算機にアクセス可能な管理計算機と、を備える計算機システムであって、前記第１記憶装置は、二つ以上の論理的なポートを有し前記ネットワークに接続される第１インタフェースと、前記第１インタフェースに接続される第１プロセッサと、前記第１プロセッサに接続される第１メモリと、前記ホスト計算機から書き込み要求されるデータを格納する第１ディスクドライブと、を備え、前記ホスト計算機からデータの書き込みを要求される第１記憶領域を前記ホスト計算機に提供し、前記第２記憶装置は、一つ以上の論理的なポートを有し前記ネットワークに接続される第２インタフェースと、前記第２インタフェースに接続される第２プロセッサと、前記第２プロセッサに接続される第２メモリと、前記ホスト計算機から書き込み要求されるデータを格納する第２ディスクドライブと、を備え、前記管理計算機は、外部に接続される第３インタフェースと、前記第３インタフェースに接続される第３プロセッサと、前記第３プロセッサに接続される第３メモリと、を備え、前記第１インタフェースは、前記ホスト計算機と前記第１記憶装置との間に設定されているアクセスパスが経由する第１ポート、及び、前記第１記憶装置と前記第２記憶装置との間に設定されているアクセスパスが経由する第２ポートを含み、前記第２インタフェースは、前記第１記憶装置と前記第２記憶装置との間に設定されているアクセスパスが経由する第３ポートを含み、前記第２記憶装置は、複数の前記第２ディスクドライブによってＲＡＩＤグループを構成し、当該ＲＡＩＤグループを一つ以上の第２記憶領域として、前記第１記憶装置の第１記憶領域に書き込み要求されたデータを格納可能な記憶領域を備え、前記第１メモリは、前記第１記憶装置の構成部位の論理的な接続関係を示す第１記憶領域構成情報を記憶し、前記第２メモリは、前記第２記憶装置の構成部位の論理的な接続関係を示す第２記憶領域構成情報を記憶し、前記第１記憶領域構成情報及び前記第２記憶領域構成情報は、前記第２ポートと前記第３ポートとの接続関係を含み、前記第３プロセッサは、前記第１メモリに記憶されている前記第１記憶領域構成情報及び前記第２メモリに記憶されている前記第２記憶領域構成情報のうち少なくとも一方を取得し、前記取得した第１記憶領域構成情報及び第２記憶領域構成情報のうち少なくとも一方に基づいて、前記第１記憶装置及び前記第２記憶装置の構成部位の中から、前記ホスト計算機から書き込み要求されるデータの送信経路上に存在する前記第１ポート、前記第２ポート、前記第３ポート、前記第１記憶領域、前記第２記憶領域、前記第１ディスクドライブ、前記第２ディスクドライブ及び前記ＲＡＩＤグループのうち少なくとも一つを特定し、前記特定した構成部位の性能情報を取得し、前記取得した性能情報のうち前記第２ポートの性能情報を出力する場合、当該第２ポートが含まれるアクセスパスを含む前記第３ポートの性能表示の出力指示を受け付け可能なように出力し、前記出力指示を受け付けた場合、前記第２ポートが含まれるアクセスパスを含む第３ポートを備える第２記憶装置の前記第３メモリに記憶されている前記第２記憶領域構成情報を取得し、前記取得した第２記憶領域構成情報に基づいて、前記第２ポートが含まれるアクセスパスを含む前記第３ポートを特定し、前記特定した第３ポートの性能情報を取得し、前記取得した第３ポートの性能情報を出力することを特徴とする。
【発明の効果】
【００１１】
本発明の代表的な実施の形態によれば、データの送信経路を考慮しながら、記憶装置の構成部位の性能を出力できる。
【発明を実施するための最良の形態】
【００１２】
本発明の実施の形態を図面を参照して説明する。
【００１３】
（第１の実施の形態）
図１は、第１の実施の形態の計算機システムのブロック図である。
【００１４】
計算機システムは、計算機Ａ３０１、計算機Ｂ３０２、計算機Ｃ３０３、記憶装置Ａ１０１、記憶装置Ｂ１０２、記憶装置Ｃ１０３、管理計算機５００、ＳＡＮ４００及び管理ネットワーク９０を備える。
【００１５】
計算機３０１等と記憶装置１０１等とは、ＳＡＮ４００を介して、接続されている。ＳＡＮ４００は、例えば、ファイバチャネル又はイーサネット（登録商標、以下同じ）などの従来技術のネットワークであり、一台以上の接続装置を含む。
【００１６】
計算機３０１等は、ＣＰＵ、メモリ及びインタフェースを備え、記憶装置１０１等にデータを書き込む。計算機３０１等は、記憶装置１０１等の物理ディスクを論理記憶領域単位で認識する。なお、計算機３０１等は、三台を図示しているが、何台備えられていてもよい。
【００１７】
記憶装置１０１等は、図２で後述するが、計算機３０１等から書き込み要求されたデータを記憶する。なお、記憶装置１０１等は、三台を図示しているが、何台備えられていてもよい。
【００１８】
計算機３０１等及び記憶装置１０１等は、管理ネットワーク９０を介して、管理計算機５００に接続されている。
【００１９】
管理ネットワーク９０は、例えば、イーサネットなどの従来技術のネットワークである。なお、ＳＡＮ４００及び管理ネットワーク９０は、一つのネットワークよって実現されてもよい。
【００２０】
管理計算機５００は、図３で後述するが、計算機システムの全体を管理する計算機である。
【００２１】
図２は、第１の実施の形態の記憶装置Ｂ１０２のブロック図である。
【００２２】
記憶装置Ｂ１０２は、ＦＣポート１５０、管理インタフェース１９０、ストレージコントローラ１１０、キャッシュメモリ１２９、物理ディスク１６１〜１６８、ディスクコントローラ１１５及び制御メモリ１２０を備える。
【００２３】
ＦＣポート１５０は、ＳＡＮ４００を介して、計算機３０１等又は他の記憶装置１０１等と接続する。管理インタフェース１９０は、管理ネットワークを介して、管理計算機５００と接続する。
【００２４】
ストレージコントローラ１１０は、制御メモリ１２０に記憶されているプログラムを実行することによって、記憶装置１０１等の全体を制御する。キャッシュメモリ１２９は、データを一時的に記憶する。物理ディスク１６１等は、計算機３０１等から書き込み要求されたデータを記憶する。
【００２５】
ディスクコントローラ１１５は、制御メモリ１２０に記憶されているプログラムを実行することによって、物理ディスク１６１等を制御する。なお、ディスクコントローラ１１５は、物理ディスク１６１等を冗長性のあるＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）構成とする。そして、ディスクコントローラ１１５は、物理ディスク１６１等の集合を仮想的なディスク（ＲＡＩＤグループ）として扱う。
【００２６】
更に、ディスクコントローラ１１５は、ＲＡＩＤグループを一つ以上の論理記憶領域に分けて、計算機３０１等に提供する。これによって、計算機３０１等は、記憶装置１０１等の物理ディスク１６１等を、論理記憶領域単位で認識する。
【００２７】
制御メモリ１２０は、ストレージコントローラ１１０及びディスクコントローラ１１５によって実行されるプログラムを記憶している。また、制御メモリ１２０は、ストレージコントローラ１１０及びディスクコントローラ１１５によって必要とされる情報を記憶している。
【００２８】
具体的には、制御メモリ１２０は、記憶領域構成情報１２２、記憶領域ＲＡＩＤグループマッピング情報１２４、ＲＡＩＤグループ物理ディスクマッピング情報１２６、ＦＣポート性能情報１２１、記憶領域性能情報１２３、ＲＡＩＤグループ性能情報１２５及び物理ディスク性能情報１２７を記憶している。
【００２９】
記憶領域構成情報１２２は、図５で後述するが、記憶装置１０１等の記憶領域の構成に関する情報である。また、記憶領域構成情報１２２は、記憶装置１０１等の構成部位の論理的な接続関係に関する情報を含む。
【００３０】
記憶領域ＲＡＩＤグループマッピング情報１２４は、図６で後述するが、論理記憶領域とＲＡＩＤグループとの対応を管理する。ＲＡＩＤグループ物理ディスクマッピング情報１２６は、図７で後述するが、ＲＡＩＤグループと物理ディスク１６１等との対応を管理する。
【００３１】
ＦＣポート性能情報１２１は、図８Ａ及び図８Ｂで後述するが、ＦＣポート１５０の性能情報に関する履歴を管理する。記憶領域性能情報１２３は、図９Ａ及び図９Ｂで後述するが、論理記憶領域の性能情報に関する履歴を管理する。
【００３２】
ＲＡＩＤグループ性能情報１２５は、図１０で後述するが、ＲＡＩＤグループの性能情報に関する履歴を管理する。物理ディスク性能情報１２７は、図１１で後述するが、物理ディスク１６１等の性能情報に管理する履歴を管理する。
【００３３】
なお、記憶装置Ａ１０１及び記憶装置Ｃ１０３の構成は、記憶装置Ｂ１０２と同一なので、説明を省略する。
【００３４】
図３は、第１の実施の形態の管理計算機５００のブロック図である。
【００３５】
管理計算機５００は、ＣＰＵ５１０、メモリ５２０、管理インタフェース５９０、ディスプレイ５１５及び入力部５１３を備える。
【００３６】
ＣＰＵ５１０は、メモリ５２０に記憶されているプログラムを実行することによって、各種処理を実行する。
【００３７】
管理インタフェース５９０は、管理ネットワーク９０を介して、計算機３０１等及び記憶装置１０１等と接続する。
【００３８】
ディスプレイ５１５は、各種情報を表示することによって、管理者に情報を通知する。入力部５１３には、管理者から情報が入力される。そして、入力部５１３は、入力された情報をＣＰＵ５１０に送る。入力部５１３は、例えば、マウス又はキーボード等である。
【００３９】
メモリ５２０は、ＣＰＵ５１０によって実行されるプログラム及びＣＰＵ５１０によって必要とされる情報を記憶している。
【００４０】
具体的には、メモリ５２０は、管理デバイス情報５２２、構成情報取得プログラム５２１、性能情報取得プログラム５２３、性能報告画面遷移制御プログラム５２５、Ｔａｒｇｅｔポートトラフィック分析情報６１０、Ｅｘｔｅｒｎａｌポートトラフィック分析情報６２０、外部記憶装置ポートトラフィック分析情報６３０、ＲＡＩＤグループ稼動分析情報６４０及び物理ディスク稼動分析情報６５０を記憶している。
【００４１】
管理デバイス情報５２２は、図１２で後述するが、当該管理計算機５００が管理するデバイス（計算機３０１等及び記憶装置１０１等）に関する情報である。
【００４２】
Ｔａｒｇｅｔポートトラフィック分析情報６１０は、Ｔａｒｇｅｔポートの性能に関する情報を含む。更に、Ｔａｒｇｅｔポートトラフィック分析情報６１０は、当該Ｔａｒｇｅｔポートを経由してアクセスされる記憶領域の性能に関する情報を含む。なお、Ｔａｒｇｅｔポートは、計算機３０１等と記憶装置１０１等との間に張られているアクセスパスが経由するＦＣポート１５０である。
【００４３】
Ｅｘｔｅｒｎａｌポートトラフィック分析情報６２０は、Ｅｘｔｅｒｎａｌポートの性能に関する情報を含む。更に、Ｅｘｔｅｒｎａｌポートトラフィック分析情報６２０は、当該Ｅｘｔｅｒｎａｌポートを経由してアクセスされる記憶領域の性能に関する情報を含む。なお、Ｅｘｔｅｒｎａｌポートは、計算機３０１等と接続されている記憶装置１０１等のＦＣポート１５０であって、記憶装置１０１等同士の間に張られているアクセスパスが経由するＦＣポート１５０である。
【００４４】
外部記憶装置ポートトラフィック分析情報６３０は、外部記憶装置ポートの性能に関する情報を含む。更に、外部記憶装置ポートトラフィック分析情報６３０は、当該外部既往装置ポートを経由してアクセスされる記憶領域の性能に関する情報を含む。なお、外部記憶装置ポートは、当該外部記憶装置ポートトラフィック分析情報６３０を記憶している記憶装置１０１等と外部接続されている記憶装置１０１等のＦＣポート１５０であり、これらの記憶装置１０１の間に張られたアクセスパスが経由するＦＣポート１５０である。
【００４５】
ＲＡＩＤグループ稼動分析情報６４０は、記憶装置１０１等の論理記憶領域の性能に関する情報及び当該論理記憶領域が属するＲＡＩＤグループの性能に関する情報を含む。
【００４６】
物理ディスク稼動分析情報６５０は、記憶装置１０１等のＲＡＩＤグループの性能に関する情報及び当該ＲＡＩＤグループを構成する物理ディスクの性能に関する情報を含む。
【００４７】
構成情報取得プログラム５２１は、記憶装置１０１等の構成に関する情報を取得する。具体的には、構成情報取得プログラム５２１は、記憶領域構成情報１２２、記憶領域ＲＡＩＤグループマッピング情報１２４及びＲＡＩＤグループ物理ディスクマッピング情報１２６を、記憶装置１０１等から取得する。
【００４８】
性能情報取得プログラム５２３は、記憶装置１０１等の性能に関する情報を取得する。具体的には、性能情報取得プログラム５２３は、ＦＣポート性能情報１２１、記憶領域性能情報１２３、ＲＡＩＤグループ性能情報１２５及び物理ディスク性能情報１２７を、記憶装置１０１等から取得する。
【００４９】
性能報告画面遷移制御プログラム５２５は、構成情報取得プログラム５２１及び性能情報取得プログラム５２３が取得した情報に基づいて、分析画面を作成する。そして、性能報告画面遷移制御プログラム５２５は、作成した分析画面をディスプレイ５１５に表示させる。
【００５０】
具体的には、性能報告画面遷移制御プログラム５２５は、画面遷移を管理者から指示されると、必要な情報を構成情報取得プログラム５２１及び性能情報取得プログラム５２３に要求する。
【００５１】
すると、構成情報取得プログラム５２１及び性能情報取得プログラム５２３は、性能報告画面遷移制御プログラム５２５から要求された情報を取得する。
【００５２】
次に、性能報告画面遷移制御プログラム５２５は、構成情報取得プログラム５２１及び性能情報取得プログラム５２３が取得した情報に基づいて、Ｔａｒｇｅｔポートトラフィック分析情報６１０、Ｅｘｔｅｒｎａｌポートトラフィック分析情報６２０、外部記憶装置ポートトラフィック分析情報６３０、ＲＡＩＤグループ稼動分析情報６４０又は物理ディスク稼動分析情報６５０を作成する。
【００５３】
なお、Ｔａｒｇｅｔポートトラフィック分析情報６１０の作成処理は、図１５で詳細を説明する。また、Ｅｘｔｅｒｎａｌポートトラフィック分析情報６２０の作成処理は、図１９で詳細を説明する。また、外部記憶装置ポートトラフィック分析情報６３０の作成処理は、図２２で詳細を説明する。また、ＲＡＩＤグループ稼動分析情報６４０の作成処理は、図２５で詳細を説明する。また、物理ディスク稼動分析情報６５０の作成処理は、図２８で詳細を説明する。
【００５４】
性能報告画面遷移制御プログラム５２５は、更新した情報に基づいて、分析画面を作成する。なお、分析画面は、図１６、図２０、図２３、図２６及び図２９で後述する。そして、性能報告画面遷移制御プログラム５２５は、作成した分析画面をディスプレイ５１５に表示させる。
【００５５】
図４は、第１の実施の形態の計算機システムのアクセスパスの説明図である。
【００５６】
本説明図は、計算機システムの物理的なパスを省略し、計算機システムの論理的な接続を示すアクセスパスのみを図示している。
【００５７】
計算機Ａ３０１は、ＣＰＵ３１０、メモリ３２０、ＦＣインタフェース３５０及び管理インタフェース３９０を備える。
【００５８】
ＣＰＵ３１０は、メモリ３２０に記憶されているプログラムを実行することによって、各種処理を行う。
【００５９】
メモリ３２０は、ＣＰＵによって実行されるプログラム及びＣＰＵによって必要とされる情報を記憶している。具体的には、メモリ３２０は、アプリケーションプログラム３２２を記憶している。
【００６０】
アプリケーションプログラム３２２は、データのリード要求又はデータのライト要求を記憶装置１０１等に送る。
【００６１】
ＦＣインタフェース３５０は、ＳＡＮ４００を介して、記憶装置１０１等と接続する。また、管理インタフェース３９０は、管理ネットワーク９０を介して、管理計算機５００と接続する。
【００６２】
なお、計算機Ｂ３０２の構成は、計算機Ａ３０１と同一なので、図示及び説明を省略する。
【００６３】
記憶装置Ａ１０１は、ＦＣポート１５０Ａ、１５０Ｂ、１５０Ｃ、１５０Ｄ及び仮想記憶領域１３２、１３４を備える。また、記憶装置Ｂ１０２は、ＦＣポート１５０Ｅ、１５０Ｆ及び論理記憶領域２３２、２３４を備える。
【００６４】
なお、記憶装置Ａ１０１は、仮想記憶領域１３２、１３４だけでなく、論理記憶領域を備えてもよい。
【００６５】
記憶装置Ａ１０１の仮想記憶領域１３２は、仮想的な記憶領域であり、実際にデータを記憶できない。そこで、記憶装置Ａ１０１は、記憶装置Ｂ１０２の論理記憶領域２３２を、自らの仮想記憶領域１３２として計算機Ａ３０１に提供する。
【００６６】
同様に、記憶装置Ａ１０１の仮想記憶領域１３４は、仮想的な記憶領域であり、実際にデータを記憶できない。そこで、記憶装置Ａ１０１は、記憶装置Ｂ１０２の論理記憶領域２３４を、自らの仮想記憶領域１３４として計算機Ｂ３０２に提供する。
【００６７】
なお、記憶装置Ｂ１０２の論理記憶領域２３２及び論理記憶領域２３４は、一つのＲＡＩＤグループ２００に属する。
【００６８】
本実施の形態では、計算機Ａ３０１には、記憶装置Ａ１０１の仮想記憶領域１３２が割り当てられている。そのため、計算機Ａ３０１と記憶装置Ａ１０１の仮想記憶領域１３２との間には、記憶装置Ａ１０１のＦＣポート１５０Ａを経由するアクセスパスが張られている。つまり、計算機Ａ３０１が記憶装置Ａ１０１の仮想記憶領域１３２に書き込みを要求するデータは、当該アクセスパスを送信経路として、計算機Ａ３０１から記憶装置Ａ１０１の仮想記憶領域１３２に送信される。
【００６９】
また、記憶装置Ａ１０１の仮想記憶領域１３２と記憶装置Ｂ１０２の論理記憶領域２３２との間には、記憶装置Ａ１０１のＦＣポート１５０Ｃ及び記憶装置Ｂ１０２のＦＣポート１５０Ｅを経由するアクセスパスが張られている。つまり、計算機Ａ３０１が記憶装置Ａ１０１の仮想記憶領域１３２に書き込みを要求するデータは、当該アクセスパスを送信経路として、記憶装置Ａ１０１の仮想記憶領域１３２から記憶装置Ｂ１０２の論理記憶領域２３２に送信される。
【００７０】
これによって、計算機Ａ３０１は、記憶装置Ｂ１０２の論理記憶領域２３２を、記憶装置Ａ１０１の記憶領域として認識する。
【００７１】
記憶装置Ａ１０１は、仮想記憶領域１３２への書き込み要求を受けると、当該書き込み要求を記憶装置Ｂ１０２へ転送する。
【００７２】
また、計算機Ｂ３０２には、記憶装置Ａ１０１の仮想記憶領域１３４が割り当てられている。そのため、計算機Ｂ３０２と記憶装置Ａ１０１の仮想記憶領域１３４との間には、記憶装置Ａ１０１のＦＣポート１５０Ｂを経由するアクセスパスが張られている。つまり、計算機Ｂ３０２が記憶装置Ａ１０１の仮想記憶領域１３４に書き込みを要求するデータは、当該アクセスパスを送信経路として、計算機Ｂ３０２から記憶装置Ａ１０１の仮想記憶領域１３４に送信される。
【００７３】
また、記憶装置Ａ１０１の仮想記憶領域１３４と記憶装置Ｂ１０２の論理記憶領域２３４との間には、記憶装置Ａ１０１のＦＣポート１５０Ｄ及び記憶装置Ｂ１０２のＦＣポート１５０Ｆを経由するアクセスパスが張られている。つまり、計算機Ｂ３０２が記憶装置Ａ１０１の仮想記憶領域１３４に書き込みを要求するデータは、当該アクセスパスを送信経路として、記憶装置Ａ１０１の仮想記憶領域１３４から記憶装置Ｂ１０２の論理記憶領域２３４に送信される。
【００７４】
これによって、計算機Ｂ３０２は、記憶装置Ｂ１０２の論理記憶領域２３４を、記憶装置Ａ１０１の記憶領域として認識する。
【００７５】
記憶装置Ａ１０１は、仮想記憶領域１３４への書き込み要求を受けると、当該書き込み要求を記憶装置Ｂ１０２へ転送する。
【００７６】
なお、記憶装置Ｂ１０２は、自身の論理記憶領域を計算機３０１等に直接提供してもよい。
【００７７】
本説明図では、管理計算機５００の処理の概要を説明する。
【００７８】
管理計算機５００の構成情報取得プログラム５２１は、記憶装置Ａ１０１及び記憶装置Ｂ１０２の構成に関する情報を取得する。また、管理計算機５００の性能情報取得プログラム５２３は、記憶装置Ａ１０１及び記憶装置Ｂ１０２の性能に関する情報を取得する。
【００７９】
次に、管理計算機５００の性能報告画面遷移制御プログラム５２５は、構成情報取得プログラム５２１及び性能情報取得プログラム５２３が取得した情報に基づいて、分析画面を作成する。そして、性能報告画面遷移制御プログラム５２５は、作成した分析画面をディスプレイ５１５に表示させる。
【００８０】
図５は、第１の実施の形態の記憶装置Ａ１０１の記憶領域構成情報１２２の構成図である。
【００８１】
記憶領域構成情報１２２は、ＦＣポート番号１２２１、記憶領域番号１２２２、計算機識別番号１２２３、実仮フラグ１２２４、Ｅｘｔｅｒｎａｌポート番号１２２５、外部記憶装置番号１２２６、外部記憶装置ポート番号１２２７及び外部記憶領域番号１２２８を含む。
【００８２】
ＦＣポート番号１２２１は、記憶装置Ａ１０１のＦＣポート１５０の一意な識別子である。記憶領域番号１２２２は、記憶装置Ａ１０１の記憶領域の一意な識別子であり、当該ＦＣポート１５０を経由してアクセスされる記憶領域の一意な識別子である。なお、記憶領域は、論理記憶領域又は仮想記憶領域のいずれであってもよい。
【００８３】
計算機識別番号１２２３は、当該記憶領域にアクセスする計算機３０１等の一意な識別子である。計算機識別情報１２２３には、例えば、ＷＷＮ（World Wide Name）が格納される。
【００８４】
実仮フラグ１２２４は、当該レコードの記憶領域が実際にデータを記憶できるかどうかを示す。例えば、当該記憶領域が、実際にデータを記憶できる論理記憶領域の場合、実仮フラグ１２２４には「実」が格納される。一方、当該記憶領域が、実際にデータを記憶できない仮想記憶領域１２２５の場合、実仮フラグ１２２４には「仮」が格納される。
【００８５】
Ｅｘｔｅｒｎａｌポート番号１２２５は、記憶装置Ａ１０１のＦＣポート１５０の一意な識別子であり、記憶装置Ａ１０１の当該記憶領域と外部の記憶装置Ｂ１０２との間に張られているアクセスパスが経由するＦＣポート１５０の一意な識別子である。
【００８６】
外部記憶装置番号１２２６は、記憶装置Ａ１０１の当該記憶領域との間にアクセスパスが張られている外部の記憶装置Ｂ１０２の一意な識別子である。外部記憶装置ポート番号１２２７は、当該外部の記憶装置Ｂ１０２のＦＣポート１５０の一意な識別子であり、当該記憶領域と外部接続されている記憶装置Ｂ１０２との間に張られているアクセスパスが経由するＦＣポート１５０の一意な識別子である。
【００８７】
外部記憶領域番号１２２８は、外部の記憶装置Ｂ１０２の当該ＦＣポート１５０を経由してアクセスされる記憶領域の一意な識別子である。なお、実仮フラグ１２２４に「仮」が格納されている場合、外部記憶領域番号１２２８は、記憶装置Ａ１０１の仮想記憶領域へ書き込み要求されたデータを記憶する論理記憶領域の一意な識別子である。また、実仮フラグ１２２４に「実」が格納されている場合、外部記憶領域番号１２２８は、記憶装置Ａ１０１の論理記憶領域の複製データを記憶する論理記憶領域の一意な識別子である。
【００８８】
記憶装置Ａ１０１の当該記憶領域が、実際にデータを記憶できる論理記憶領域であり、且つ、コピー機能などによって複製されない場合、Ｅｘｔｅｒｎａｌポート番号１２２５、外部記憶装置番号１２２６、外部記憶装置ポート番号１２２７及び外部記憶領域番号１２２８には、値が格納されない。
【００８９】
また、本実施の形態では、図４で付した番号を識別子として用いるが、他の識別子を用いてもよい。
【００９０】
なお、記憶装置Ｂ１０２及び記憶装置Ｃ１０３も、記憶装置Ａ１０１と同様の記憶領域構成情報１２２を備える。
【００９１】
図６は、第１の実施の形態の記憶装置Ｂ１０２の記憶領域ＲＡＩＤグループマッピング情報１２４の構成図である。
【００９２】
記憶領域ＲＡＩＤグループマッピング情報１２４は、記憶領域番号１２４１及びＲＡＩＤグループ番号１２４２を含む。
【００９３】
記憶領域番号１２４１は、記憶装置Ｂ１０２の論理記憶領域２３２等の一意な識別子である。よって、記憶領域ＲＡＩＤグループマッピング情報１２４には、仮想記憶領域に関する情報は格納されない。
【００９４】
ＲＡＩＤグループ番号１２４２は、当該論理記憶領域２３２等が属するＲＡＩＤグループの一意な識別子である。
【００９５】
本構成図によると、論理記憶領域２３２及び２３４は、ＲＡＩＤグループ２００に属する。また、論理記憶領域２３５、２３６、２３７及び２３８は、ＲＡＩＤグループ２１０に属する。
【００９６】
なお、記憶装置Ａ１０１及び記憶装置Ｃ１０３も、記憶装置Ｂ１０２と同様の記憶領域ＲＡＩＤグループマッピング情報１２４を備える。
【００９７】
図７は、第１の実施の形態の記憶装置Ｂ１０２のＲＡＩＤグループ物理ディスクマッピング情報１２６の構成図である。
【００９８】
ＲＡＩＤグループ物理ディスクマッピング情報１２６は、ＲＡＩＤグループ番号１２６１及び物理ディスク番号１２６２を含む。
【００９９】
ＲＡＩＤグループ番号１２６１は、記憶装置Ｂ１０２のＲＡＩＤグループ２００等の一意な識別子である。物理ディスク番号１２６２は、当該ＲＡＩＤグループ２００等を構成する物理ディスク１６１等の一意な識別子である。
【０１００】
本構成図によると、ＲＡＩＤグループ２００は、四台の物理ディスク１６１、１６２、１６３及び１６４で構成されている。また、ＲＡＩＤグループ２１０は、四台の物理ディスク１６５、１６６、１６７及び１６８で構成されている。
【０１０１】
なお、記憶装置Ａ１０１及び記憶装置Ｃ１０３も、記憶装置Ｂ１０２と同様のＲＡＩＤグループ物理ディスクマッピング情報１２６を備える。
【０１０２】
図８Ａは、第１の実施の形態の記憶装置Ａ１０１のＦＣポート性能情報１２１の構成図である。図８Ｂは、第１の実施の形態の記憶装置Ｂ１０２のＦＣポート性能情報１２１の構成図である。
【０１０３】
ＦＣポート性能情報１２１は、ＦＣポート番号１２１２、データ転送量１２１３、帯域１２１４及び測定期間１２１５を含む。
【０１０４】
ＦＣポート番号１２１２は、記憶装置１０１等のＦＣポート１５０の一意な識別子である。データ転送量１２１３は、当該ＦＣポート１５０の単位時間当たりのデータ転送量（ＭＢ／ｓｅｃ）である。帯域１２１４は、当該ＦＣポート１５０が物理的に転送できる単位時間当たりのデータ転送量（ＭＢ／ｓｅｃ）である。
【０１０５】
測定期間１２１５は、当該レコードのデータ転送量１２１３が測定された期間である。
【０１０６】
ＦＣポート性能情報１２１は、それぞれのＦＣポート１５０の性能に関する情報の履歴を管理する。なお、ＦＣポート性能情報１２１には、データ転送量１２１３でなく、ＦＣポート１５０の性能に関する他の情報が含まれていてもよい。例えば、ＦＣポート性能情報１２１には、一秒間の入出力アクセス回数又はレスポンスタイム等が含まれていてもよい。
【０１０７】
次に、記憶装置１０１等のＦＣポート性能情報１２１の更新処理を説明する。
【０１０８】
記憶装置１０１等は、それぞれのＦＣポート１５０のデータ転送量を定期的に測定する。
【０１０９】
次に、記憶装置１０１等は、ＦＣポート性能情報１２１に新たなレコードを作成する。次に、記憶装置１０１等は、データ転送量を測定したＦＣポートの識別子を、新たなレコードのＦＣポート番号１２１２に格納する。次に、記憶装置１０１等は、測定したデータ転送量を、新たなレコードのデータ転送量１２１３に格納する。次に、記憶装置１０１等は、データ転送量を測定したＦＣポートの帯域を、新たなレコードの帯域１２１４に格納する。そして、記憶装置１０１等は、データ転送量を測定した期間を、新たなレコードの測定期間１２１５に格納する。
【０１１０】
以上のように、記憶装置１０１等は、ＦＣポート性能情報１２１を更新する。
【０１１１】
図９Ａは、第１の実施の形態の記憶装置Ａ１０１の記憶領域性能情報１２３の構成図である。図９Ｂは、第１の実施の形態の記憶装置Ｂ１０２の記憶領域性能情報１２３の構成図である。
【０１１２】
記憶領域性能情報１２３は、記憶領域番号１２３２、データ転送量１２３３、ビジー率１２３４及び測定期間１２３５を含む。
【０１１３】
記憶領域番号１２３２は、記憶装置１０１等の記憶領域の一意な識別子である。なお、記憶領域は、論理記憶領域又は仮想記憶領域のいずれであってもよい。
【０１１４】
データ転送量１２３３は、当該記憶領域への単位時間当たりのデータ転送量（ＭＢ／ｓｅｃ）である。
【０１１５】
ビジー率１２３４は、当該記憶領域のビジー状態の時間が測定時間中に占める割り合いである。なお、ビジー状態は、当該記憶領域を構成する物理ディスクが稼動している状態である。そのため、当該論理記憶領域が仮想記憶領域の場合、ビジー率１２３４には値が格納されない。
【０１１６】
測定期間１２３５は、当該レコードのデータ転送量１２３３及びビジー率１２３４が測定された期間である。
【０１１７】
記憶領域性能情報１２３は、それぞれの記憶領域の性能に関する情報の履歴を管理する。なお、記憶領域性能情報１２３には、データ転送量１２３３及びビジー率１２３４でなく、記憶領域の性能に関する他の情報が含まれていてもよい。例えば、記憶領域性能情報１２３には、一秒間の入出力アクセス回数又はレスポンスタイム等が含まれていてもよい。
【０１１８】
次に、記憶装置１０１等の記憶領域性能情報１２３の更新処理を説明する。
【０１１９】
記憶装置１０１等は、それぞれの記憶領域のデータ転送量及びビジー率を定期的に測定する。
【０１２０】
次に、記憶装置１０１等は、記憶領域性能情報１２３に新たなレコードを作成する。次に、記憶装置１０１等は、性能を測定した記憶領域の識別子を、新たなレコードの記憶領域識別番号１２３２に格納する。次に、記憶装置１０１等は、測定したデータ転送量を、新たなレコードのデータ転送量１２３３に格納する。次に、記憶装置１０１等は、測定したビジー率を、新たなレコードのビジー率１２３４に格納する。そして、記憶装置１０１等は、性能を測定した期間を、新たなレコードの測定期間１２３５に格納する。
【０１２１】
以上のように、記憶装置１０１等は、記憶領域性能情報１２３を更新する。
【０１２２】
図１０は、第１の実施の形態の記憶装置Ｂ１０２のＲＡＩＤグループ性能情報１２５の構成図である。
【０１２３】
ＲＡＩＤグループ性能情報１２５は、ＲＡＩＤグループ番号１２５２、ビジー率１２５３及び測定期間１２５４を含む。
【０１２４】
ＲＡＩＤグループ番号１２５２は、記憶装置Ｂ１０２のＲＡＩＤグループ２００等の一意な識別子である。ビジー率１２５３は、当該ＲＡＩＤグループ２００等のビジー状態の時間が測定時間中に占める割り合いである。なお、ビジー状態は、当該ＲＡＩＤグループ２００等を構成する物理ディスクが稼動している状態である。
【０１２５】
測定期間１２５４は、当該レコードのビジー率１２５３が測定された期間である。
【０１２６】
ＲＡＩＤグループ性能情報１２５は、それぞれのＲＡＩＤグループ２００等の性能に関する情報の履歴を管理する。なお、ＲＡＩＤグループ性能情報１２５には、ビジー率１２５３でなく、ＲＡＩＤグループ２００等の性能に関する他の情報が含まれていてもよい。例えば、ＲＡＩＤグループ性能情報１２５には、一秒間の入出力アクセス回数又はレスポンスタイム等が含まれていてもよい。
【０１２７】
なお、記憶装置Ａ１０１及び記憶装置Ｃ１０３も、記憶装置Ｂ１０２と同様のＲＡＩＤグループ性能情報１２５を備える。
【０１２８】
次に、記憶装置１０１等のＲＡＩＤグループ性能情報１２５の更新処理を説明する。
【０１２９】
記憶装置１０１等は、それぞれのＲＡＩＤグループ２００等のビジー率を定期的に測定する。
【０１３０】
次に、記憶装置１０１等は、ＲＡＩＤグループ性能情報１２５に新たなレコードを作成する。次に、記憶装置１０１等は、ビジー率を測定したＲＡＩＤグループ２００等の識別子を、新たなレコードのＲＡＩＤグループ番号１２５２に格納する。次に、記憶装置１０１等は、測定したビジー率を、新たなレコードのビジー率１２５３に格納する。次に、ビジー率を測定した期間を、新たなレコードの測定期間１２５４に格納する。
【０１３１】
以上のように、記憶装置１０１等は、ＲＡＩＤグループ性能情報１２５を更新する。
【０１３２】
図１１は、第１の実施の形態の記憶装置Ｂ１０２の物理ディスク性能情報１２７の構成図である。
【０１３３】
物理ディスク性能情報１２７は、物理ディスク番号１２７２、ビジー率１２７３及び測定期間１２７４を含む。
【０１３４】
物理ディスク番号１２７２は、記憶装置Ｂ１０２の物理ディスク１６１等の一意な識別子である。ビジー率１２７３は、当該物理ディスク１６１等のビジー状態の時間が測定時間中に占める割り合いである。なお、ビジー状態は、当該物理ディスク１６１等が稼動している状態である。
【０１３５】
測定期間１２７４は、当該レコードのビジー率が測定された期間である。
【０１３６】
物理ディスク性能情報１２７は、それぞれの物理ディスク１６１等の性能に関する情報の履歴を管理する。なお、物理ディスク性能情報１２７には、ビジー率１２７３でなく、物理ディスク１６１等の性能に関する他の情報が含まれていてもよい。例えば、物理ディスク性能情報１２７には、一秒間の入出力アクセス回数又はレスポンスタイム等が含まれていてもよい。
【０１３７】
なお、記憶装置Ａ１０１及び記憶装置Ｃ１０３も、記憶装置Ｂ１０２と同様の物理ディスク性能情報１２７を備える。
【０１３８】
次に、記憶装置１０１等の物理ディスク性能情報１２７の更新処理を説明する。
【０１３９】
記憶装置１０１等は、それぞれの物理ディスク１６１等のビジー率を定期的に測定する。
【０１４０】
次に、記憶装置１０１等は、物理ディスク性能情報１２７に新たなレコードを作成する。次に、記憶装置１０１等は、ビジー率を測定した物理ディスクの識別子を、新たなレコードの物理ディスク番号１２７２に格納する。次に、測定したビジー率を、新たなレコードのビジー率１２７３に格納する。次に、ビジー率を測定した期間を、新たなレコードの測定期間１２７４に格納する。
【０１４１】
以上のように、記憶装置１０１等は、物理ディスク性能情報１２７を更新する。
【０１４２】
なお、本実施の形態では、管理者は、ＦＣポート性能情報１２１（図８Ａ及び図８Ｂ）の測定期間１２１５、記憶領域性能情報１２３（図９Ａ及び図９Ｂ）の測定期間１２３５、ＲＡＩＤグループ性能情報１２５（図１０）の測定期間１２５４及び物理ディスク性能情報１２７（図１１）の測定期間１２７４が同一となるように設定する。
【０１４３】
具体的には、管理者は、記憶装置１０１等の性能の測定間隔を管理計算機５００に設定する。管理計算機５００は、設定された測定間隔での性能の測定を、すべての記憶装置１０１等に要求する。
【０１４４】
すると、記憶装置１０１等は、要求された測定間隔で、自身の構成部位の性能を測定する。そして、記憶装置１０１等は、測定した性能を、性能情報１２１、１２３、１２５及び１２７に格納する。
【０１４５】
図１２は、第１の実施の形態の管理計算機５００の管理デバイス情報５２２の構成図である。
【０１４６】
管理デバイス情報５２２は、装置タイプ５２２１、装置名５２２２、装置識別番号５２２３及ＩＰアドレス５２２４を含む。
【０１４７】
装置識別番号５２２３は、管理計算機５００が管理する装置の一意な識別子である。
【０１４８】
装置タイプ５２２１は、当該装置の種類である。つまり、装置タイプ５２２１は、当該装置が計算機３０１等又は記憶装置１０１等のいずれであるかを示す。
【０１４９】
装置名５２２２は、当該装置の名称である。つまり、装置名５２２２は、当該装置を管理者が識別する識別子である。ＩＰアドレス５２２４は、当該装置のＩＰアドレスである。
【０１５０】
なお、管理デバイス情報５２２は、管理者によって予め登録される。
【０１５１】
以下、管理計算機５００の性能報告画面の遷移処理の詳細を説明する。
【０１５２】
まず、管理計算機５００の性能報告画面制御プログラム５２５は、記憶装置一覧画面をディスプレイ５１５に表示する。
【０１５３】
図１３は、第１の実施の形態の管理計算機５００に表示される記憶装置一覧画面７００の説明図である。
【０１５４】
記憶装置一覧画面７００は、測定期間入力フィールド７０１、記憶装置選択情報７０７及び関連記憶装置性能表示ボタン７０５を含む。
【０１５５】
測定期間入力フィールド７０１には、記憶装置１０１等の性能の測定期間が入力される。管理者は、管理計算機５００に表示させたい性能が測定された期間を、測定期間入力フィールド７０１に入力する。なお、測定期間入力フィールド７０１は、プルダウンメニューから値を選べてもよい。
【０１５６】
記憶装置選択情報７０７は、記憶装置名７０２、記憶装置番号７０４及び選択フィールド７０３を含む。
【０１５７】
記憶装置名７０２は、管理者が記憶装置１０１等を識別する名称である。記憶装置番号７０４は、当該記憶装置１０１等の一意な識別子である。
【０１５８】
選択フィールド７０３は、当該記憶装置１０１等が選択されているかどうかを示す。本説明図の記憶装置一覧画面７００において、管理者は、記憶装置Ａ１０１を選択している。
【０１５９】
そして、管理者は、関連記憶装置性能表示ボタン７０５を操作することによって、選択フィールド７０３で選択したレコードの記憶装置１０１等の性能に関する情報の取得を管理計算機５００に要求する。なお、測定期間７０２に値が入力されていない場合、管理者は、関連記憶装置性能表示ボタン７０５を操作できない。同様に、選択フィールド７０３で記憶装置１０１等が選択されていない場合にも、管理者は、関連記憶装置性能表示ボタン７０５を操作できない。
【０１６０】
次に、管理計算機５００の記憶装置一覧画面７００の作成処理を説明する。
【０１６１】
管理計算機５００の性能報告画面制御プログラム５２５は、記憶装置一覧画面７００のテンプレートを予め用意しておく。そして、用意しておいた記憶装置一覧画面７００のテンプレートに、必要な情報を格納する。
【０１６２】
具体的には、性能報告画面制御プログラム５２５は、管理デバイス情報５２２の装置タイプ５２２１に「記憶装置」が格納されているレコードをすべて選択する。次に、選択したレコードの装置名５２２２及び装置識別番号５２２３を抽出する。
【０１６３】
次に、性能報告画面制御プログラム５２５は、抽出した装置名５２２２を、記憶装置一覧画面７００の記憶装置名７０２に格納する。次に、抽出した装置識別番号５２２３を、記憶装置一覧画面７００の記憶装置番号７０４に格納する。
【０１６４】
以上のように、性能報告画面制御プログラム５２５は、記憶装置一覧画面７００を作成する。そして、作成した記憶装置一覧画面７００をディスプレイ５１５に表示させる。
【０１６５】
次に、記憶装置一覧画面７００の関連記憶装置性能表示ボタン７０５が管理者によって操作された場合の管理計算機５００の処理を説明する。なお、本実施の形態では、記憶装置一覧画面７００の測定期間入力フィールド７０１には、「２００５／８／１  ０：００  〜  ２００５／８／１  ２３：５９」が格納されている。また、記憶装置一覧画面７００の選択フィールド７０３では、記憶装置Ａ１０１が選択されている。
【０１６６】
記憶装置一覧画面７００の関連記憶装置性能表示ボタン７０５が操作されると、管理計算機５００は、Ｔａｒｇｅｔポートトラフィック分析情報６１０（図１４で後述する。）を作成する。なお、管理計算機５００のＴａｒｇｅｔポートトラフィック分析情報６１０の作成処理は、図１５で後述する。
【０１６７】
次に、管理計算機５００は、作成したＴａｒｇｅｔポートトラフィック分析情報６１０に基づいて、Ｔａｒｇｅｔポートトラフィック分析画面（図１６で後述する。）を作成する。そして、作成したＴａｒｇｅｔポートトラフィック分析画面を、ディスプレイ５１５に表示させる。
【０１６８】
図１４は、第１の実施の形態の管理計算機５００のＴａｒｇｅｔポートトラフィック分析情報６２０の構成図である。
【０１６９】
Ｔａｒｇｅｔポートトラフィック分析情報６１０は、記憶装置番号６１１０、計算機識別番号６１１５、ＦＣポート性能情報６１２０、記憶領域性能情報６１３０、実仮フラグ６１４０及び測定期間６１５０を含む。
【０１７０】
記憶装置番号６１１０は、記憶装置１０１等の一意な識別子である。計算機識別番号６１１５は、当該記憶装置１０１等にアクセスする計算機３０１等の一意な識別子である。
【０１７１】
ＦＣポート性能情報６１２０は、ＦＣポート番号６１２１、データ転送量６１２３及び帯域６１２５を含む。
【０１７２】
ＦＣポート番号６１２１は、当該記憶装置１０１等と当該計算機３０１等との間に張られているアクセスパスが経由するＦＣポート１５０の一意な識別子である。データ転送量６１２３は、当該ＦＣポート１５０の単位時間当たりのデータ転送量（ＭＢ／ｓｅｃ）である。帯域６１２５は、当該ＦＣポート１５０が物理的に転送できる単位時間当たりのデータ転送量（ＭＢ／ｓｅｃ）である。
【０１７３】
記憶領域性能情報６１３０は、記憶領域番号６１３１及びデータ転送量６１３３を含む。
【０１７４】
記憶領域番号６１３１は、当該ＦＣポート１５０を経由してアクセスされる記憶領域の一意な識別子である。データ転送量６１３３は、当該記憶領域への単位時間当たりのデータ転送量（ＭＢ／ｓｅｃ）である。
【０１７５】
実仮フラグ６１４０は、当該記憶領域が実際にデータを記憶できるかどうかを示す。例えば、当該記憶領域が、実際にデータを記憶できる論理記憶領域の場合、実仮フラグ６１４０には「実」が格納される。一方、当該記憶領域が、実際にデータを記憶できない仮想記憶領域の場合、実仮フラグ６１４０には「仮」が格納される。
【０１７６】
測定期間６１５０は、当該レコードのデータ転送量６１２３及び６１３３が測定された期間である。
【０１７７】
図１５は、第１の実施の形態の管理計算機５００のＴａｒｇｅｔポートトラフィック分析情報６２０の作成処理のフローチャートである。
【０１７８】
記憶装置一覧画面７００の関連記憶装置性能表示ボタン７０５が操作されると、管理計算機５００は、Ｔａｒｇｅｔポートトラフィック分析情報６１０の作成処理を開始する。
【０１７９】
まず、管理計算機５００の性能報告画面遷移制御プログラム５２５は、記憶装置一覧画面７００の測定期間入力フィールド７０１に入力された測定期間を取得する。次に、記憶装置一覧画面７００の選択フィールド７０３で選択されたレコードの記憶装置番号７０４を取得する（Ｓ１０１０）。
【０１８０】
本実施の形態では、性能報告画面遷移制御プログラム５２５は、記憶装置一覧画面７００の測定期間入力フィールド７０１から、測定期間の「２００５／８／１  ０：００  〜  ２００５／８／１  ２３：５９」を取得する。また、記憶装置一覧画面７００の選択フィールド７０３で選択されたレコードの記憶装置番号７０４の「１０１」を取得する。
【０１８１】
次に、管理計算機５００の構成情報取得プログラム５２１は、性能報告画面遷移制御プログラム５２５が取得した記憶装置番号７０４の「１０１」に対応する記憶装置Ａ１０１を特定する。次に、特定した記憶装置Ａ１０１の記憶領域構成情報１２２（図５）のすべてのレコードを、順番に選択する（Ｓ１０１５）。そして、管理計算機５００は、選択したレコードに対して、ステップＳ１０２０からステップＳ１０５０までの処理を繰り返す。
【０１８２】
構成情報取得プログラム５２１は、選択したレコードから、ＦＣポート番号１２２１、記憶領域番号１２２２、計算機識別番号１２２３及び実仮フラグ１２２４を抽出する（Ｓ１０２０）。
【０１８３】
次に、管理計算機５００の性能情報取得プログラム５２３は、性能報告画面遷移制御プログラム５２５が取得した記憶装置番号７０４の「１０１」に対応する記憶装置Ａ１０１を特定する。次に、特定した記憶装置Ａ１０１のＦＣポート性能情報１２１（図８Ａ）から、記憶装置Ａ１０１のＦＣポート１５０の性能に関する情報を抽出する。
【０１８４】
本実施の形態では、性能情報取得プログラム５２３は、構成情報取得プログラム５２１が抽出したＦＣポート番号１２２１とＦＣポート性能情報１２１のＦＣポート番号１２１２とが一致するすべてのレコードを、記憶装置Ａ１０１のＦＣポート性能情報１２１から選択する。次に、性能情報取得プログラム５２３は、性能報告画面遷移制御プログラム５２５が取得した測定期間とＦＣポート性能情報１２１の測定期間１２１５とが一致するレコードを、選択したレコードの中から特定する。
【０１８５】
そして、性能情報取得プログラム５２３は、特定したレコードから、データ転送量１２１３及び帯域１２１４を抽出する（Ｓ１０３０）。
【０１８６】
次に、性能情報取得プログラム５２３は、記憶装置Ａ１０１の記憶領域性能情報１２３（図９Ａ）から、記憶装置Ａ１０１の記憶領域の性能に関する情報を抽出する。
【０１８７】
本実施の形態では、性能情報取得プログラム５２３は、構成情報取得プログラム５２１がステップＳ１０２０で抽出した記憶領域番号１２２２と記憶領域性能情報１２３の記憶領域番号１２３２とが一致するすべてのレコードを、記憶装置Ａ１０１の記憶領域性能情報１２３から選択する。次に、性能情報取得プログラム５２３は、性能報告画面遷移制御プログラム５２５が取得した測定期間と記憶領域性能情報１２３の測定期間１２３５とが一致するレコードを、選択したレコードの中から特定する。
【０１８８】
そして、性能情報取得プログラム５２３は、特定したレコードから、データ転送量１２３３を抽出する（Ｓ１０４０）。
【０１８９】
次に、性能報告画面遷移制御プログラム５２５は、Ｔａｒｇｅｔポートトラフィック分析情報６１０を更新する（Ｓ１０５０）。
【０１９０】
具体的には、性能報告画面遷移制御プログラム５２５は、ステップＳ１０１０で取得した記憶装置番号を、Ｔａｒｇｅｔポートトラフィック分析情報６１０の記憶装置番号６１１０に格納する。次に、性能報告画面遷移制御プログラム５２５は、構成情報取得プログラム５２１がステップＳ１０２０で抽出した計算機識別番号１２２３を、Ｔａｒｇｅｔポートトラフィック分析情報６１０の計算機識別番号６１１５に格納する。次に、性能報告画面遷移制御プログラム５２５は、構成情報取得プログラム５２１がステップＳ１０２０で抽出したＦＣポート番号１２２１を、Ｔａｒｇｅｔポートトラフィック分析情報６１０のＦＣポート番号６１２１に格納する。
【０１９１】
次に、性能報告画面遷移制御プログラム５２５は、性能情報取得プログラム５２３がステップＳ１０３０で抽出したデータ転送量１２１３を、Ｔａｒｇｅｔポートトラフィック分析情報６１０のデータ転送量６１２３に格納する。次に、性能報告画面遷移制御プログラム５２５は、性能情報取得プログラム５２３がステップＳ１０３０で抽出した帯域１２１４を、Ｔａｒｇｅｔポートトラフィック分析情報６１０の帯域６１２５に格納する。
【０１９２】
次に、性能報告画面遷移制御プログラム５２５は、構成情報取得プログラム５２１がステップＳ１０２０で抽出した記憶領域番号１２２２を、Ｔａｒｇｅｔポートトラフィック分析情報６１０の記憶領域番号６１３１に格納する。次に、性能報告画面遷移制御プログラム５２５は、性能情報取得プログラム５２３がステップＳ１０４０で取得したデータ転送量１２３３を、Ｔａｒｇｅｔポートトラフィック分析情報６１０のデータ転送量６１３３に格納する。
【０１９３】
次に、性能報告画面遷移制御プログラム５２５は、構成情報取得プログラム５２１がステップＳ１０２０で抽出した実仮フラグ１２２４を、Ｔａｒｇｅｔポートトラフィック分析情報６１０の実仮フラグ６１４０に格納する。次に、性能報告画面遷移制御プログラム５２５は、ステップＳ１０１０で取得した測定期間を、Ｔａｒｇｅｔポートトラフィック分析情報６１０の測定期間６１５０に格納する。
【０１９４】
このようにして、性能報告画面遷移制御プログラム５２５は、Ｔａｒｇｅｔポートトラフィック分析情報６１０を更新する。
【０１９５】
次に、性能報告画面遷移制御プログラム５２５は、構成情報取得プログラム５２１がステップＳ１０１５で記憶領域構成情報１２２のすべてのレコードを選択したかどうかを判定する（Ｓ１０５５）。
【０１９６】
性能報告画面遷移制御プログラム５２５は、すべてのレコードが選択されていないと判定すると、ステップＳ１０１５に戻る。そして、管理計算機５００は、選択されていないレコードに対して、ステップＳ１０１５からステップＳ１０５０までの処理を繰り返す。
【０１９７】
一方、性能報告画面遷移制御プログラム５２５は、すべてのレコードが選択されたと判定すると、Ｔａｒｇｅｔポートトラフィック分析情報６２０の作成処理を終了する。
【０１９８】
なお、管理計算機５００は、記憶装置一覧画面７００において、計算機３０１等を選択させてもよい。
【０１９９】
この場合、管理計算機５００の構成情報取得プログラム５２１は、記憶装置一覧画面７００で選択された計算機３０１等の識別子を特定する。そして、ステップＳ１０１５において、構成情報取得プログラム５２１は、特定した識別子と記憶領域構成情報１２２の計算機識別番号１２２３とが一致するレコードのみを、記憶領域構成情報１２２から選択する。これによって、管理計算機５００は、記憶装置一覧画面７００で選択された計算機３０１に張られたアクセスパスが経由するＦＣポート１５０に関する情報のみを、Ｔａｒｇｅｔポートトラフィック分析情報６１０に格納できる。
【０２００】
性能報告画面遷移制御プログラム５２５は、Ｔａｒｇｅｔポートトラフィック分析情報６１０を作成すると、当該Ｔａｒｇｅｔポートトラフィック分析情報６１０に基づいて、Ｔａｒｇｅｔポートトラフィック分析画面を作成する。そして、作成したＴａｒｇｅｔポートトラフィック分析画面をディスプレイ５１５に表示させる。
【０２０１】
図１６は、第１の実施の形態の管理計算機５００に表示されるＴａｒｇｅｔポートトラフィック分析画面７１０の説明図である。
【０２０２】
Ｔａｒｇｅｔポートトラフィック分析画面７１０は、記憶領域選択情報７１１、性能グラフ７１８及び関連Ｅｘｔｅｒｎａｌポート性能表示ボタン７１５を含む。
【０２０３】
記憶領域選択情報７１１は、Ｔａｒｇｅｔポートトラフィック分析情報６１０の一部又は全部を含む。また、記憶領域選択情報７１１は、選択フィールド７１２を含む。
【０２０４】
本説明図の記憶領域選択情報７１１は、Ｔａｒｇｅｔポートトラフィック分析情報６１０の記憶装置番号６１１０、測定期間６１５０、計算機識別番号６１１５、ＦＣポート番号６１２１及び記憶領域番号６１３１を含む。
【０２０５】
選択フィールド７１２は、当該レコードの記憶領域が選択されているかどうかを示す。本説明図のＴａｒｇｅｔポートトラフィック分析画面７１０において、管理者は、記憶装置Ａ１０１の記憶領域１３２を選択している。
【０２０６】
性能グラフ７１８は、Ｔａｒｇｅｔポートトラフィック分析情報６１０に基づいて作成される。本説明図の性能グラフ７１８は、Ｔａｒｇｅｔポートトラフィック分析情報６１０のデータ転送量６１２３、帯域６１２５及びデータ転送量６１３３に基づいて、作成されたものである。これによって、性能グラフ７１８は、ＦＣポート１５０に関する性能及び当該ＦＣポートを経由してアクセスされる記憶領域の性能を示す。
【０２０７】
なお、性能グラフ７１８は、本説明図に限定されるものでなく、折れ線グラフ等の異なる形式のグラフであってもよい。また、Ｔａｒｇｅｔポートトラフィック分析画面７１０は、性能グラフ７１８の代わりに、ＦＣポート１５０の性能を示すテーブル等を含んでいてもよい。
【０２０８】
次に、性能グラフ７１８の別の表示形態を説明する。
【０２０９】
図１７は、第１の実施の形態のＴａｒｇｅｔポートトラフィック分析画面７１０の性能グラフ７１８の表示形態の説明図である。
【０２１０】
本説明図の性能グラフ７１８がポインタ７０で指定されると、管理計算機５００は、ポインタ７０で指定された位置に対応する情報を、ポップアップ画面７２として表示してもよい。具体的には、管理計算機５００は、ポインタ７０で指定された位置に対応する情報を、Ｔａｒｇｅｔポートトラフィック分析情報６１０から抽出する。そして、抽出した情報を、ポップアップ画面７２として表示する。
【０２１１】
ここで、図１６に戻る。
【０２１２】
管理者は、Ｔａｒｇｅｔポートトラフィック分析画面７１０を分析することによって、記憶装置Ａ１０１のＦＣポート１５０の状況を把握できる。本説明図のＴａｒｇｅｔポートトラフィック分析画面７１０によると、管理者は、ＦＣポート１５０Ａには記憶領域１３２との間にのみアクセスパスが張られていることを把握する。よって、管理者は、ＦＣポート１５０ＡにおいてＩＯの競合が発生しないと把握できる。
【０２１３】
管理者は、関連Ｅｘｔｅｒｎａｌポート性能表示ボタン７１５を操作することによって、選択フィールド７１２で選択したレコードの記憶領域の性能に関する情報の取得を管理計算機５００に要求する。
【０２１４】
関連Ｅｘｔｅｒｎａｌポート性能表示ボタン７１５が操作されると、管理計算機５００は、Ｅｘｔｅｒｎａｌポートトラフィック分析情報６２０（図１８で後述する。）を作成する。なお、管理計算機５００のＥｘｔｅｒｎａｌポートトラフィック分析情報６２０の作成処理は、図１９で後述する。
【０２１５】
次に、管理計算機５００は、作成したＥｘｔｅｒｎａｌポートトラフィック分析情報６２０に基づいて、Ｅｘｔｅｒｎａｌポートトラフィック分析画面（図２０で後述する。）を作成する。そして、作成したＥｘｔｅｒｎａｌポートトラフィック分析画面を、ディスプレイ５１５に表示させる。
【０２１６】
図１８は、第１の実施の形態の管理計算機５００のＥｘｔｅｒｎａｌポートトラフィック分析情報６２０の構成図である。
【０２１７】
Ｅｘｔｅｒｎａｌポートトラフィック分析情報６２０は、記憶装置番号６２１０、Ｅｘｔｅｒｎａｌポート性能情報６２２０、記憶領域性能情報６２３０、外部記憶装置番号６２４０、外部記憶領域番号６２５０、測定期間６２６０及び選択フラグ６２７０を含む。
【０２１８】
記憶装置番号６２１０は、記憶装置１０１等の一意な識別子である。
【０２１９】
Ｅｘｔｅｒｎａｌポート性能情報６２２０は、Ｅｘｔｅｒｎａｌポートの性能に関する情報である。なお、Ｅｘｔｅｒｎａｌポートは、記憶装置１０１等同士の間に張られているアクセスパスが経由するＦＣポート１５０である。
【０２２０】
Ｅｘｔｅｒｎａｌポート性能情報６２２０は、ＦＣポート番号６２２１、データ転送量６２２３及び帯域６２２５を含む。
【０２２１】
ＦＣポート番号６２２１は、当該記憶装置１０１等のＥｘｔｅｒｎａｌポートの一意な識別子である。データ転送量６２２３は、当該Ｅｘｔｅｒｎａｌポートの単位時間当たりのデータ転送量（ＭＢ／ｓｅｃ）である。帯域６２２５は、当該Ｅｘｔｅｒｎａｌポートが物理的に転送できる単位時間当たりのデータ転送量（ＭＢ／ｓｅｃ）である。
【０２２２】
記憶領域性能情報６２３０は、記憶領域番号６２３１及びデータ転送量６２３３を含む。
【０２２３】
記憶領域番号６２３１は、当該Ｅｘｔｅｒｎａｌポートを経由するアクセスパスが張られている記憶領域の一意な識別子である。データ転送量６２３３は、当該記憶領域への単位時間当たりのデータ転送量（ＭＢ／ｓｅｃ）である。
【０２２４】
外部記憶装置番号６２４０は、当該Ｅｘｔｅｒｎａｌポートを経由してアクセスされる記憶装置１０１等の一意な識別子である。つまり、外部記憶装置番号６２４０は、記憶装置番号６２１０に対応する記憶装置１０１等へ書き込み要求されたデータが転送される記憶装置１０１等の一意な識別子である。
【０２２５】
外部記憶領域番号６２５０は、当該Ｅｘｔｅｒｎａｌポートを経由してアクセスされる記憶領域の一意な識別子である。つまり、外部記憶領域番号６２５０は、記憶領域番号６２３１に対応する記憶領域へ書き込み要求されたデータが転送される記憶領域の一意な識別子である。
【０２２６】
測定期間６２６０は、当該レコードのデータ転送量６２２３、帯域６２２５及びデータ転送量６２３３が測定された期間である。選択フラグ６２７０は、当該記憶領域が管理者によって選択されたアクセスパス上にある記憶領域であることを示す。
【０２２７】
図１９は、第１の実施の形態の管理計算機５００のＥｘｔｅｒｎａｌポートトラフィック分析情報６２０の作成処理のフローチャートである。
【０２２８】
Ｔａｒｇｅｔポートトラフィック分析画面７１０の関連Ｅｘｔｅｒｎａｌポート性能表示ボタン７１５が操作されると、管理計算機５００は、Ｅｘｔｅｒｎａｌポートトラフィック分析情報６２０の作成処理を開始する。
【０２２９】
まず、管理計算機５００の性能報告画面遷移制御プログラム５２５は、Ｔａｒｇｅｔポートトラフィック分析画面７１０で指定されている情報を取得する。具体的には、性能報告画面遷移制御プログラム５２５は、Ｔａｒｇｅｔポートトラフィック分析画面７１０から、記憶装置番号及び測定期間を取得する。更に、性能報告画面遷移制御プログラム５２５は、Ｔａｒｇｅｔポートトラフィック分析画面７１０の選択フィールド７１２で選択されたレコードの記憶領域番号を取得する（Ｓ１１１０）。
【０２３０】
本実施の形態では、性能報告画面遷移制御プログラム５２５は、記憶装置番号の「１０１」、記憶領域番号の「１３２」及び測定期間の「２００５／８／１  ０：００  〜  ２００５／８／１  ２３：５９」を取得する。
【０２３１】
次に、管理計算機５００の構成情報取得プログラム５２１は、性能報告画面遷移制御プログラム５２５が取得した記憶装置番号の「１０１」に対応する記憶装置Ａ１０１を特定する。次に、構成情報取得プログラム５２１は、特定した記憶装置Ａ１０１の記憶領域構成情報１２２（図５）のすべてのレコードを、順番に選択する（Ｓ１１１５）。そして、管理計算機５００は、選択したレコードに対して、ステップＳ１１２０からステップＳ１１５０までの処理を繰り返す。
【０２３２】
構成情報取得プログラム５２１は、選択したレコードから、記憶領域番号１２２２、Ｅｘｔｅｒｎａｌポート番号１２２５、外部記憶装置番号１２２６及び外部記憶領域番号１２２８を抽出する（Ｓ１１２０）。
【０２３３】
次に、管理計算機５００の性能情報取得プログラム５２３は、性能報告画面遷移制御プログラム５２５が取得した記憶装置番号の「１０１」に対応する記憶装置Ａ１０１を特定する。次に、特定した記憶装置Ａ１０１のＦＣポート性能情報１２１（図８Ａ）から、Ｅｘｔｅｒｎａｌポートの性能に関する情報を抽出する。
【０２３４】
本実施の形態では、性能情報取得プログラム５２３は、構成情報取得プログラム５２１が抽出したＥｘｔｅｒｎａｌポート番号１２２５とＦＣポート性能情報１２１のＦＣポート番号１２１２とが一致するすべてのレコードを、記憶装置Ａ１０１のＦＣポート性能情報１２１から選択する。次に、性能情報取得プログラム５２３は、性能報告画面遷移制御プログラム５２５が取得した測定期間とＦＣポート性能情報１２１の測定期間１２１５とが一致するレコードを、選択したレコードの中から特定する。
【０２３５】
そして、性能情報取得プログラム５２３は、特定したレコードから、データ転送量１２１３及び帯域１２１４を抽出する（Ｓ１１３０）。
【０２３６】
次に、性能情報取得プログラム５２３は、記憶装置Ａ１０１の記憶領域性能情報１２３（図９Ａ）から、記憶領域の性能に関する情報を抽出する。
【０２３７】
本実施の形態では、性能情報取得プログラム５２３は、構成情報取得プログラム５２１がステップＳ１１２０で抽出した記憶領域番号１２２２と記憶領域性能情報１２３の記憶領域番号１２３２とが一致するすべてのレコードを、記憶装置Ａ１０１の記憶領域性能情報１２３から選択する。次に、性能情報取得プログラム５２３は、性能報告画面遷移制御プログラム５２５が取得した測定期間と記憶領域性能情報１２３の測定期間１２３５とが一致するレコードを、選択したレコードの中から特定する。
【０２３８】
そして、性能情報取得プログラム５２３は、特定したレコードから、データ転送量１２３３を抽出する（Ｓ１１４０）。
【０２３９】
次に、性能報告画面遷移制御プログラム５２５は、Ｅｘｔｅｒｎａｌポートトラフィック分析情報６２０を更新する（Ｓ１１５０）。
【０２４０】
具体的には、性能報告画面遷移制御プログラム５２５は、ステップＳ１１１０で取得した記憶装置番号を、Ｅｘｔｅｒｎａｌポートトラフィック分析情報６２０の記憶装置番号６２１０に格納する。次に、性能報告画面遷移制御プログラム５２５は、構成情報取得プログラム５２１がステップＳ１１２０で抽出したＥｘｔｅｒｎａｌポート番号１２２５を、Ｅｘｔｅｒｎａｌポートトラフィック分析情報６２０のＦＣポート番号６２２１に格納する。
【０２４１】
次に、性能報告画面遷移制御プログラム５２５は、性能情報取得プログラム５２３がステップＳ１１３０で抽出したデータ転送量１２１３を、Ｅｘｔｅｒｎａｌポートトラフィック分析情報６２０のデータ転送量６２２３に格納する。次に、性能報告画面遷移制御プログラム５２５は、性能情報取得プログラム５２３がステップＳ１１３０で抽出した帯域１２１４を、Ｅｘｔｅｒｎａｌポートトラフィック分析情報６２０の帯域６２２５に格納する。
【０２４２】
次に、性能報告画面遷移制御プログラム５２５は、構成情報取得プログラム５２１がステップＳ１１２０で抽出した記憶領域番号１２２２を、Ｅｘｔｅｒｎａｌポートトラフィック分析情報６２０の記憶領域番号６２３１に格納する。次に、性能報告画面遷移制御プログラム５２５は、性能情報取得プログラム５２３がステップＳ１１４０で抽出したデータ転送量１２３３を、Ｅｘｔｅｒｎａｌポートトラフィック分析情報６２０のデータ転送量６２３３に格納する。
【０２４３】
次に、性能報告画面遷移制御プログラム５２５は、構成情報取得プログラム５２１がステップＳ１１２０で抽出した外部記憶装置番号１２２６を、Ｅｘｔｅｒｎａｌポートトラフィック分析情報６２０の外部記憶装置番号６２４０に格納する。次に、性能報告画面遷移制御プログラム５２５は、構成情報取得プログラム５２１がステップＳ１１２０で抽出した外部記憶領域番号１２２８を、Ｅｘｔｅｒｎａｌポートトラフィック分析情報６２０の外部記憶領域番号６２５０に格納する。次に、性能報告画面遷移制御プログラム５２５は、ステップＳ１１１０で取得した測定期間を、Ｅｘｔｅｒｎａｌポートトラフィック分析情報６２０の測定期間６２６０に格納する。
【０２４４】
次に、性能報告画面遷移制御プログラム５２５は、ステップＳ１１１０で取得した記憶領域番号とＥｘｔｅｒｎａｌポートトラフィック分析情報６２０の記憶領域番号６２３１とが一致するレコードを、Ｅｘｔｅｒｎａｌポートトラフィック分析情報６２０から選択する。そして、選択したレコードの選択フラグ６２７０にアスタリスク「＊」を格納する。
【０２４５】
このようにして、性能報告画面遷移制御プログラム５２５は、Ｅｘｔｅｒｎａｌポートトラフィック分析情報６２０を更新する。
【０２４６】
次に、性能報告画面遷移制御プログラム５２５は、構成情報取得プログラム５２１がステップＳ１１１５で記憶領域構成情報１２２のすべてのレコードを選択したかどうかを判定する（Ｓ１１５５）。
【０２４７】
性能報告画面遷移制御プログラム５２５は、すべてのレコードが選択されていないと判定すると、ステップＳ１１１５に戻る。そして、管理計算機５００は、選択されていないレコードに対して、ステップＳ１１１５からステップＳ１１５０までの処理を繰り返す。
【０２４８】
一方、性能報告画面遷移制御プログラム５２５は、すべてのレコードが選択されたと判定すると、Ｅｘｔｅｒｎａｌポートトラフィック分析情報６２０の作成処理を終了する。
【０２４９】
なお、ステップＳ１１１５において、構成情報取得プログラム５２１は、性能報告画面遷移制御プログラム５２５がステップＳ１１１０で取得した記憶領域番号と記憶領域構成情報１２２の記憶領域番号１２２２とが一致するレコードのみを、記憶領域構成情報１２２から選択してもよい。これによって、管理計算機５００は、Ｔａｒｇｅｔポートトラフィック分析画面７１０の選択フィールド７１２で選択された記憶領域に対応する情報のみを、Ｅｘｔｅｒｎａｌポートトラフィック分析情報６２０に格納できる。
【０２５０】
性能報告画面遷移制御プログラム５２５は、Ｅｘｔｅｒｎａｌポートトラフィック分析情報６２０を作成すると、当該Ｅｘｔｅｒｎａｌポートトラフィック分析情報６２０に基づいて、Ｅｘｔｅｒｎａｌポートトラフィック分析画面を作成する。そして、作成したＥｘｔｅｒｎａｌポートトラフィック分析画面をディスプレイ５１５に表示させる。
【０２５１】
図２０は、第１の実施の形態の管理計算機５００に表示されるＥｘｔｅｒｎａｌポートトラフィック分析画面７２０の説明図である。
【０２５２】
Ｅｘｔｅｒｎａｌポートトラフィック分析画面７２０は、記憶領域選択情報７２１、性能グラフ７２８、関連Ｔａｒｇｅｔポート性能表示ボタン７２３及び関連外部記憶装置ポート性能表示ボタン７２５を含む。
【０２５３】
記憶領域選択情報７２１は、Ｅｘｔｅｒｎａｌポートトラフィック分析情報６２０の一部又は全部を含む。また、記憶領域選択情報７２１は、選択フィールド７２４を含む。
【０２５４】
本説明図の記憶領域選択情報７２１は、Ｅｘｔｅｒｎａｌポートトラフィック分析情報６２０の記憶装置番号６２１０、測定期間６２６０、選択フラグ６２７０、ＦＣポート番号６２２１、記憶領域番号６２３１、外部記憶装置番号６２４０及び外部記憶領域番号６２５０を含む。
【０２５５】
選択フィールド７２４は、当該レコードの記憶領域が選択されているかどうかを示す。本説明図のＥｘｔｅｒｎａｌポートトラフィック分析画面７２０において、管理者は、記憶装置Ａ１０１の仮想記憶領域１３２を選択している。
【０２５６】
性能グラフ７２８は、Ｅｘｔｅｒｎａｌポートトラフィック分析情報６２０に基づいて作成される。本説明図の性能グラフ７２８は、Ｅｘｔｅｒｎａｌポートトラフィック分析情報６２０のデータ転送量６２２３、帯域６２２５及びデータ転送量６２３３に基づいて、作成されたものである。これによって、本説明図の性能グラフ７２８は、Ｅｘｔｅｒｎａｌポートの性能を示す。更に、本説明図の性能グラフ７２８は、当該Ｅｘｔｅｒｎａｌポートを経由するアクセスパスが張られている記憶領域の性能を示す。
【０２５７】
なお、性能グラフ７２８では、Ｅｘｔｅｒｎａｌポートトラフィック分析情報６２０の選択フラグ６２７０に「＊」が格納されているレコードに関するグラフが、強調されたり、点滅したりしてもよい。これによって、管理者は、選択したアクセスパス上の記憶領域に関する性能を性能グラフ７２８から容易に把握できる。
【０２５８】
性能グラフ７２８は、本説明図に限定されるものでなく、折れ線グラフ等の異なる形式のグラフであってもよい。また、Ｅｘｔｅｒｎａｌポートトラフィック分析画面７２０は、性能グラフ７２８の代わりに、Ｅｘｔｅｒｎａｌポートの性能を示すテーブル等を含んでいてもよい。
【０２５９】
更に、性能グラフ７２８は、管理者が選択したアクセスパス上の記憶領域に対応する外部記憶領域の存在を「△」で示している。これによって、管理者は、当該記憶領域のＩＯ競合を調べるために、アクセスパスを更にたどる必要があると認識できる。
【０２６０】
管理者は、Ｅｘｔｅｒｎａｌポートトラフィック分析画面７２０を分析することによって、Ｅｘｔｅｒｎａｌポートの状況を把握できる。本説明図のＥｘｔｅｒｎａｌポートトラフィック分析画面７２０によると、管理者は、ＥｘｔｅｒｎａｌポートであるＦＣポート１５０Ｃの状況を把握できる。具体的には、管理者は、ＦＣポート１５０ｃには記憶領域１３２との間にのみアクセスパスが張られていることを把握する。よって、管理者は、ＦＣポート１５０ＣにおいてＩＯの競合が発生しないと把握できる。
【０２６１】
関連Ｔａｒｇｅｔポート性能表示ボタン７２３が操作されると、管理計算機５００は、Ｔａｒｇｅｔポートトラフィック分析画面７１０（図１６）をディスプレイ５１５に表示させる。
【０２６２】
関連外部記憶装置ポート性能表示ボタン７２５が操作されると、管理計算機５００は、外部記憶装置ポートトラフィック分析情報６３０（図２１で後述する。）を作成する。なお、管理計算機５００の外部記憶装置ポートトラフィック分析情報６３０の作成処理は、図２２で後述する。
【０２６３】
次に、管理計算機５００は、作成した外部記憶装置ポートトラフィック分析情報６３０に基づいて、外部記憶装置ポートトラフィック分析画面（図２３で後述する。）を作成する。そして、作成した外部記憶装置ポートトラフィック分析画面を、ディスプレイ５１５に表示させる。
【０２６４】
図２１は、第１の実施の形態の外部記憶装置ポートトラフィック分析情報６３０の構成図である。
【０２６５】
外部記憶装置ポートトラフィック分析情報６３０は、記憶装置番号６３１０、計算機識別情報６３１５、ＦＣポート性能情報６３２０、記憶領域性能情報６３３０、測定期間６３４０及び選択フラグ６３５０を含む。
【０２６６】
記憶装置番号６３１０は、記憶装置１０１等の一意な識別子である。計算機識別番号６３１５は、当該記憶装置１０１等にアクセスする計算機３０１等の一意な識別子である。
【０２６７】
ＦＣポート性能情報６３２０は、ＦＣポート番号６３２１、データ転送量６３２３及び帯域６３２５を含む。
【０２６８】
ＦＣポート番号６３２１は、当該記憶装置１０１等と上位の記憶装置１０１等との間に張られているアクセスパスが経由するＦＣポート１５０の一意な識別子である。データ転送量６３２３は、当該ＦＣポート１５０の単位時間当たりのデータ転送量（ＭＢ／ｓｅｃ）である。帯域６３２５は、当該ＦＣポート１５０が物理的に転送できる単位時間当たりのデータ転送量（ＭＢ／ｓｅｃ）である。
【０２６９】
記憶領域性能情報６３３０は、記憶領域番号６３３１及びデータ転送量６３３３を含む。
【０２７０】
記憶領域番号６３３１は、当該ＦＣポートを経由してアクセスされる記憶領域の一意な識別子である。データ転送量６３３３は、当該記憶領域への単位時間当たりのデータ転送量（ＭＢ／ｓｅｃ）である。
【０２７１】
測定期間６３４０は、当該レコードのデータ転送量６３２３、帯域６３２５及びデータ転送量６３３３が測定された期間である。選択フラグ６３５０は、当該記憶領域が管理者によって選択されているアクセスパス上の記憶領域であることを示す。
【０２７２】
図２２は、第１の実施の形態の管理計算機５００の外部記憶装置ポートトラフィック分析情報６３０の作成処理のフローチャートである。
【０２７３】
Ｅｘｔｅｒｎａｌポートトラフィック分析画面７２０の関連外部記憶装置ポート性能表示ボタン７２５が操作されると、管理計算機５００は、外部記憶装置ポートトラフィック分析情報６３０の作成処理を開始する。
【０２７４】
まず、管理計算機５００の性能報告画面遷移制御プログラム５２５は、Ｅｘｔｅｒｎａｌポートトラフィック分析画面７２０で指定されている情報を取得する。具体的には、性能報告画面遷移制御プログラム５２５は、Ｅｘｔｅｒｎａｌポートトラフィック分析画面７２０から、測定期間を取得する。更に、性能報告画面遷移制御プログラム５２５は、Ｅｘｔｅｒｎａｌポートトラフィック分析画面７２０の選択フィールド７２４で選択されたレコードの外部記憶装置番号及び外部記憶領域番号を取得する（Ｓ１２１０）。
【０２７５】
本実施の形態では、性能報告画面遷移制御プログラム５２５は、外部記憶装置番号の「１０２」、外部記憶領域番号の「２３２」及び測定期間の「２００５／８／１  ０：００  〜  ２００５／８／１  ２３：５９」を取得する。
【０２７６】
次に、管理計算機５００の構成情報取得プログラム５２１は、性能報告画面遷移制御プログラム５２５が取得した外部記憶装置番号の「１０２」に対応する記憶装置Ｂ１０２を特定する。次に、構成情報取得プログラム５２１は、特定した記憶装置Ｂ１０２の記憶領域構成情報１２２のすべてのレコードを、順番に選択する（Ｓ１２１５）。そして、管理計算機５００は、選択したレコードに対して、ステップＳ１２２０からステップＳ１２５０までの処理を繰り返す。
【０２７７】
構成情報取得プログラム５２１は、選択したレコードから、ＦＣポート番号１２２１、記憶領域番号１２２２及び計算機識別番号１２２３を抽出する（Ｓ１２２０）。
【０２７８】
次に、管理計算機５００の性能情報取得プログラム５２３は、性能報告画面遷移制御プログラム５２５が取得した外部記憶装置番号の「１０２」に対応する記憶装置Ｂ１０２を特定する。次に、性能情報取得プログラム５２３は、特定した記憶装置Ｂ１０２のＦＣポート性能情報１２１（図８Ｂ）から、ＦＣポートの性能に関する情報を抽出する。
【０２７９】
本実施の形態では、性能情報取得プログラム５２３は、構成情報取得プログラムが抽出したＦＣポート番号１２２１とＦＣポート性能情報１２１のＦＣポート番号１２１２とが一致するすべてのレコードを、記憶装置Ｂ１０２のＦＣポート性能情報１２１から選択する。次に、性能情報取得プログラム５２３は、性能報告画面遷移制御プログラム５２５が取得した測定期間とＦＣポート性能情報１２１の測定期間１２１５とが一致するレコードを、選択したレコードから特定する。
【０２８０】
そして、性能情報取得プログラム５２３は、特定したレコードから、データ転送量１２１３及び帯域１２１４を抽出する（Ｓ１２３０）。
【０２８１】
次に、性能情報取得プログラム５２３は、記憶装置Ｂ１０２の記憶領域性能情報１２３（図９Ｂ）から、記憶領域の性能に関する情報を抽出する。
【０２８２】
本実施の形態では、性能情報取得プログラム５２３は、構成情報取得プログラム５２１がステップＳ１２２０で抽出した記憶領域番号１２２２と記憶領域性能情報１２３の記憶領域番号１２３２とが一致するすべてのレコードを、記憶装置Ｂ１０２の記憶領域性能情報１２３から選択する。次に、性能情報取得プログラム５２３は、性能報告画面遷移制御プログラム５２５が取得した測定期間と記憶領域性能情報１２３の測定期間１２３５とが一致するレコードを、選択したレコードから特定する。
【０２８３】
そして、性能情報取得プログラム５２３は、特定したレコードから、データ転送量１２３３を抽出する（Ｓ１２４０）。
【０２８４】
次に、性能報告画面遷移制御プログラム５２５は、外部記憶装置ポートトラフィック分析情報６３０を更新する（Ｓ１２５０）。
【０２８５】
具体的には、性能報告画面遷移制御プログラム５２５は、ステップＳ１２１０で取得した外部記憶装置番号を、外部記憶装置ポートトラフィック分析情報６３０の記憶装置番号６３１０に格納する。次に、性能報告画面遷移制御プログラム５２５は、構成情報取得プログラム５２１がステップＳ１２２０で抽出した計算機識別番号１２２３を、外部記憶装置ポートトラフィック分析情報６３０の計算機識別番号６３１５に格納する。
【０２８６】
次に、性能報告画面遷移制御プログラム５２５は、構成情報取得プログラム５２１がステップＳ１２２０で抽出したＦＣポート番号１２２１を、外部記憶装置ポートトラフィック分析情報６３０のＦＣポート番号６３２１に格納する。次に、性能報告画面遷移制御プログラム５２５は、性能情報取得プログラム５２３がステップＳ１２３０で抽出したデータ転送量１２１３を、外部記憶装置ポートトラフィック分析情報６３０のデータ転送量６３２３に格納する。次に、性能報告画面遷移制御プログラム５２５は、性能情報取得プログラム５２３がステップＳ１２３０で抽出した帯域１２１４を、外部記憶装置ポートトラフィック分析情報６３０の帯域６３２５に格納する。
【０２８７】
次に、性能報告画面遷移制御プログラム５２５は、構成情報取得プログラム５２１がステップＳ１２２０で抽出した記憶領域番号１２２２を、外部記憶装置ポートトラフィック分析情報６３０の記憶領域番号６３３１に格納する。次に、性能報告画面遷移制御プログラム５２５は、性能情報取得プログラム５２３がステップＳ１２４０で抽出したデータ転送量１２３３を、外部記憶装置ポートトラフィック分析情報６３０のデータ転送量６３３３に格納する。
【０２８８】
次に、性能報告画面遷移制御プログラム５２５は、ステップＳ１２１０で取得した測定期間を、外部記憶装置ポートトラフィック分析情報６３０の測定期間６３４０に格納する。
【０２８９】
次に、性能報告画面遷移制御プログラム５２５は、ステップＳ１２１０で取得した外部記憶領域番号と外部記憶装置ポートトラフィック分析情報６３０の記憶領域番号６３３１とが一致するレコードを、外部記憶装置ポートトラフィック分析情報６３０から選択する。そして、選択したレコードの選択フラグ６３５０にアスタリスク「＊」を格納する。
【０２９０】
このようにして、性能報告画面遷移制御プログラム５２５は、外部記憶装置ポートトラフィック分析情報６３０を更新する。
【０２９１】
次に、性能報告画面遷移制御プログラム５２５は、構成情報取得プログラム５２１がステップＳ１２１５で記憶領域構成情報１２２のすべてのレコードを選択したかどうかを判定する（Ｓ１２５５）。
【０２９２】
性能報告画面遷移制御プログラム５２５は、すべてのレコードが選択されていないと判定すると、ステップＳ１２１５に戻る。そして、管理計算機５００は、選択されていないレコードに対して、ステップＳ１２１５からステップＳ１２５０までの処理を繰り返す。
【０２９３】
一方、性能報告画面遷移制御プログラム５２５は、すべてのレコードが選択されたと判定すると、外部記憶装置ポートトラフィック分析情報６３０の作成処理を終了する。
【０２９４】
なお、ステップＳ１２１５において、構成情報取得プログラム５２１は、性能報告画面遷移制御プログラム５２５がステップＳ１２１０で取得した外部記憶領域番号と記憶領域構成情報１２２の記憶領域番号１２２２とが一致するレコードのみを、記憶領域構成情報１２２から選択してもよい。これによって、管理計算機５００は、Ｅｘｔｅｒｎａｌポートトラフィック分析画面７２０の選択フィールド７２４で選択された外部記憶領域に対応する情報のみを、外部記憶装置ポートトラフィック分析情報６３０に格納できる。
【０２９５】
性能報告画面遷移制御プログラム５２５は、外部記憶装置ポートトラフィック分析情報６３０を作成すると、当該外部記憶装置ポートトラフィック分析情報６３０に基づいて、外部記憶装置ポートトラフィック分析画面を作成する。そして、作成した外部記憶装置ポートトラフィック分析画面をディスプレイ５１５に表示させる。
【０２９６】
図２３は、第１の実施の形態の管理計算機５００に表示される外部記憶装置ポートトラフィック分析画面７３０の説明図である。
【０２９７】
外部記憶装置ポートトラフィック分析画面７３０は、記憶領域選択情報７３１、性能グラフ７３８、関連Ｅｘｔｅｒｎａｌポート性能表示ボタン７３３及び関連ＲＡＩＤグループ性能表示ボタン７３５を含む。
【０２９８】
記憶領域選択情報７３１は、外部記憶装置ポートトラフィック分析情報６３０の一部又は全部を含む。また、記憶領域選択情報７３１は、選択フィールド７３４を含む。
【０２９９】
本説明図の記憶領域選択情報７３１は、外部記憶装置ポートトラフィック分析情報６３０の記憶装置番号６３１０、測定期間６３４０、選択フラグ６３５０、計算機番号６３１５、ＦＣポート番号６３２１及び記憶領域番号６３３１を含む。
【０３００】
選択フィールド７３４は、当該レコードの記憶領域が選択されているかどうかを示す。本説明図の外部記憶装置ポートトラフィック分析画面７３０において、管理者は、記憶装置Ｂ１０２の論理記憶領域２３２を選択している。
【０３０１】
性能グラフ７３８は、外部記憶装置ポートトラフィック分析情報６３０に基づいて作成される。本説明図の性能グラフ７３８は、外部記憶装置ポートトラフィック分析情報６３０のデータ転送量６３２３、帯域６３２５及びデータ転送量６３３３に基づいて、作成されたものである。これによって、本説明図の性能グラフ７２８は、上位の記憶装置Ａ１０１と下位の記憶装置Ｂ１０２との間に張られたアクセスパスが経由する記憶装置Ｂ１０２のＦＣポート１５０の性能を示す。更に、本説明図の性能グラフ７２８は、当該ＦＣポート１５０を経由してアクセスされる記憶領域の性能を示す。
【０３０２】
なお、性能グラフ７３８では、外部記憶装置ポートトラフィック分析情報６３０の選択フラグ６３５０に「＊」が格納されているレコードに関するグラフが、強調されたり、点滅したりしてもよい。これによって、管理者は、選択した記憶領域に関する性能を性能グラフ７３８から容易に把握できる。
【０３０３】
性能グラフ７３８は、本説明図に限定されるものでなく、折れ線グラフ等の異なる形式のグラフであってもよい。また、外部記憶装置ポートトラフィック分析画面７３０は、性能グラフ７３８の代わりに、記憶装置Ｂ１０２のＦＣポート１５０の性能及び当該ＦＣポートを経由してアクセスされる記憶領域の性能を示すテーブル等を含んでいてもよい。
【０３０４】
管理者は、外部記憶装置ポートトラフィック分析画面７３０を分析することによって、記憶装置Ａ１０１に外部接続されている記憶装置Ｂ１０２のＦＣポート１５０Ｅの状況を把握できる。本説明図の外部記憶装置ポートトラフィック分析画面７３０によると、管理者は、ＦＣポート１５０Ｅには記憶装置２３２との間にのみアクセスパスが張られていることを把握する。これによって、管理者は、ＦＣポート１５０ＥにおいてＩＯの競合が発生しないと把握できる。
【０３０５】
関連Ｅｘｔｅｒｎａｌポート性能表示ボタン７３３が操作されると、管理計算機５００は、Ｅｘｔｅｒｎａｌポートトラフィック分析画面７２０（図２０）をディスプレイ５１５に表示させる。
【０３０６】
関連ＲＡＩＤ性能情報ボタン７３５が操作されると、管理計算機５００は、ＲＡＩＤグループ稼動分析情報６４０（図２４で後述する。）を作成する。なお、管理計算機５００のＲＡＩＤグループ稼動分析情報６４０の作成処理は、図２５で後述する。
【０３０７】
次に、管理計算機５００は、作成したＲＡＩＤグループ稼動分析情報６４０に基づいて、ＲＡＩＤグループ稼動分析画面（図２６で後述する。）を作成する。そして、作成したＲＡＩＤグループ稼動分析画面を、ディスプレイ５１５に表示させる。
【０３０８】
図２４は、第１の実施の形態の管理計算機５００のＲＡＩＤグループ稼動分析情報６４０の構成図である。
【０３０９】
ＲＡＩＤグループ稼動分析情報６４０は、記憶装置番号６４１０、ＲＡＩＤグループ性能情報６４２０、記憶領域性能情報６４３０、測定期間６４４０及び選択フラグ６４５０を含む。
【０３１０】
記憶装置番号６４１０は、記憶装置１０１等の一意な識別子である。
【０３１１】
ＲＡＩＤグループ性能情報６４２０は、ＲＡＩＤグループ番号６４２１及びビジー率６４２３を含む。
【０３１２】
ＲＡＩＤグループ番号６４２１は、当該記憶装置１０１等のＲＡＩＤグループ２００等の一意な識別子である。ビジー率６４２３は、当該ＲＡＩＤグループ２００等のビジー状態の時間が測定時間中に占める割り合いである。
【０３１３】
記憶領域性能情報６４３０は、記憶領域番号６４３１及びビジー率６４３３を含む。
【０３１４】
記憶領域番号６４３１は、当該ＲＡＩＤグループ２００等に属する論理記憶領域の一意な識別子である。ビジー率６４３３は、当該論理記憶領域のビジー状態の時間が測定時間中に占める割り合いである。
【０３１５】
測定期間６４４０は、当該レコードのビジー率６４２３及び６４３３が測定された期間である。選択フラグ６４５０は、当該論理記憶領域が管理者によって選択されたかどうかを示す。
【０３１６】
図２５は、第１の実施の形態の管理計算機５００のＲＡＩＤグループ稼動分析情報６４０の作成処理のフローチャートである。
【０３１７】
外部記憶装置ポートトラフィック分析画面７３０の関連ＲＡＩＤグループ性能表示ボタン７３５が操作されると、管理計算機５００は、ＲＡＩＤグループ稼動分析情報６４０の作成処理を開始する。
【０３１８】
まず、管理計算機５００の性能報告画面遷移制御プログラム５２５は、外部記憶装置ポートトラフィック分析画面７３０で指定されている情報を取得する。具体的には、性能報告画面遷移制御プログラム５２５は、外部記憶装置ポートトラフィック分析画面７３０から、記憶装置番号及び測定期間を取得する。更に、性能報告画面遷移制御プログラム５２５は、外部記憶装置ポートトラフィック分析画面７３０の選択フィールド７３４で選択されたレコードの記憶領域番号を取得する（Ｓ１３１０）。
【０３１９】
本実施の形態では、性能報告画面遷移制御プログラム５２５は、記憶装置番号の「１０２」、記憶領域番号の「２３２」及び測定期間の「２００５／８／１  ０：００  〜  ２００５／８／１  ２３：５９」を取得する。
【０３２０】
次に、管理計算機５００の構成情報取得プログラム５２１は、性能報告画面遷移制御プログラム５２５が取得した外部記憶装置番号の「１０２」に対応する記憶装置Ｂ１０２を特定する。次に、構成情報取得プログラム５２１は、特定した記憶装置Ｂ１０２の記憶領域ＲＡＩＤグループマッピング情報１２４のすべてのレコードを、順番に選択する（Ｓ１３１５）。そして、管理計算機５００は、選択したレコードに対して、ステップＳ１３２０からステップＳ１３５０までの処理を繰り返す。
【０３２１】
構成情報取得プログラム５２１は、選択したレコードから、記憶領域番号１２４１及びＲＡＩＤグループ番号１２４２を抽出する（Ｓ１３２０）。
【０３２２】
次に、管理計算機５００の性能情報取得プログラム５２３は、性能報告画面遷移制御プログラム５２５が取得した外部記憶装置番号の「１０２」に対応する記憶装置Ｂ１０２を特定する。次に、性能情報取得プログラム５２３は、特定した記憶装置Ｂ１０２のＲＡＩＤグループ性能情報１２５（図１０）から、ＲＡＩＤグループ２００等の性能に関する情報を抽出する。
【０３２３】
本実施の形態では、性能情報取得プログラム５２３は、構成情報取得プログラムが抽出したＲＡＩＤグループ番号１２４２とＲＡＩＤグループ性能情報１２５のＲＡＩＤグループ番号１２５２とが一致するすべてのレコードを、記憶装置Ｂ１０２のＲＡＩＤグループ性能情報１２５から選択する。次に、性能情報取得プログラム５２３は、性能報告画面遷移制御プログラム５２５が取得した測定期間とＲＡＩＤグループ性能情報１２５の測定期間１２５４とが一致するレコードを、選択したレコードから特定する。
【０３２４】
そして、性能情報取得プログラム５２３は、特定したレコードから、ビジー率１２５３を抽出する（Ｓ１３３０）。
【０３２５】
次に、性能情報取得プログラム５２３は、記憶装置Ｂ１０２の記憶領域性能情報１２３（図９Ｂ）から、記憶領域の性能に関する情報を抽出する。
【０３２６】
本実施の形態では、性能情報取得プログラム５２３は、構成情報取得プログラム５２１がステップＳ１３２０で抽出した記憶領域番号１２４１と記憶領域性能情報１２３の記憶領域番号１２３２とが一致するすべてのレコードを、記憶装置Ｂ１０２の記憶領域性能情報１２３から選択する。次に、性能情報取得プログラム５２３は、性能報告画面遷移制御プログラム５２５が取得した測定期間と記憶領域性能情報１２３の測定期間１２３５とが一致するレコードを、選択したレコードから特定する。
【０３２７】
そして、性能情報取得プログラム５２３は、特定したレコードから、ビジー率１２３４を抽出する（Ｓ１３４０）。
【０３２８】
次に、性能報告画面遷移制御プログラム５２５は、ＲＡＩＤグループ稼動分析情報６４０を更新する（Ｓ１３５０）。
【０３２９】
具体的には、性能報告画面遷移制御プログラム５２５は、ステップＳ１３１０で取得した記憶装置番号を、ＲＡＩＤグループ稼動分析情報６４０の記憶装置番号６４１０に格納する。
【０３３０】
次に、性能報告画面遷移制御プログラム５２５は、構成情報取得プログラム５２１がステップＳ１３２０で抽出したＲＡＩＤグループ番号１２４２を、ＲＡＩＤグループ稼動分析情報６４０のＲＡＩＤグループ番号６４２１に格納する。次に、性能報告画面遷移制御プログラム５２５は、性能情報取得プログラム５２３がステップＳ１３３０で抽出したビジー率１２５３を、ＲＡＩＤグループ稼動分析情報６４０のビジー率６４２３に格納する。
【０３３１】
次に、性能報告画面遷移制御プログラム５２５は、構成情報取得プログラム５２１がステップＳ１３２０で抽出した記憶領域番号１２４１を、ＲＡＩＤグループ稼動分析情報６４０の記憶領域番号６４３１に格納する。次に、性能報告画面遷移制御プログラム５２５は、性能情報取得プログラム５２３がステップＳ１３４０で抽出したビジー率１２３４を、ＲＡＩＤグループ稼動分析情報６４０のビジー率６４３３に格納する。
【０３３２】
次に、性能報告画面遷移制御プログラム５２５は、ステップＳ１３１０で取得した測定期間を、ＲＡＩＤグループ稼動分析情報６４０の測定期間６４４０に格納する。
【０３３３】
次に、性能報告画面遷移制御プログラム５２５は、ステップＳ１３１０で取得した記憶領域番号とＲＡＩＤグループ稼動分析情報６４０の記憶領域番号６４３１とが一致するレコードを、ＲＡＩＤグループ稼動分析情報６４０から選択する。そして、選択したレコードの選択フラグ６４５０にアスタリスク「＊」を格納する。
【０３３４】
このようにして、性能報告画面遷移制御プログラム５２５は、ＲＡＩＤグループ稼動分析情報６４０を更新する。
【０３３５】
次に、性能報告画面遷移制御プログラム５２５は、構成情報取得プログラム５２１がステップＳ１３１５で記憶領域ＲＡＩＤグループマッピング情報１２４のすべてのレコードを選択したかどうかを判定する（Ｓ１３５５）。
【０３３６】
性能報告画面遷移制御プログラム５２５は、すべてのレコードが選択されていないと判定すると、ステップＳ１３１５に戻る。そして、管理計算機５００は、選択されていないレコードに対して、ステップＳ１３１５からステップＳ１３５０までの処理を繰り返す。
【０３３７】
一方、性能報告画面遷移制御プログラム５２５は、すべてのレコードが選択されたと判定すると、ＲＡＩＤグループ稼動分析情報６４０の作成処理を終了する。
【０３３８】
なお、ステップＳ１３１５において、構成情報取得プログラム５２１は、性能報告画面遷移制御プログラム５２５がステップＳ１３１０で取得した記憶領域番号と記憶領域ＲＡＩＤグループマッピング情報１２４の記憶領域番号１２４１とが一致するレコードのみを、記憶領域ＲＡＩＤグループマッピング情報１２４から選択してもよい。これによって、管理計算機５００は、外部記憶装置ポートトラフィック分析画面７３０の選択フィールド７３４で選択された論理記憶領域に対応する情報のみを、ＲＡＩＤグループ稼動分析情報６４０に格納できる。
【０３３９】
性能報告画面遷移制御プログラム５２５は、ＲＡＩＤグループ稼動分析情報６４０を作成すると、当該ＲＡＩＤグループ稼動分析情報６４０に基づいて、ＲＡＩＤグループ稼動分析画面を作成する。そして、作成したＲＡＩＤグループ稼動分析画面をディスプレイ５１５に表示させる。
【０３４０】
図２６は、第１の実施の形態の管理計算機５００に表示されるＲＡＩＤグループ稼動分析画面７４０の説明図である。
【０３４１】
ＲＡＩＤグループ稼動分析画面７４０は、記憶領域選択情報７４１、性能グラフ７４８、関連外部記憶装置ポート性能表示ボタン７４３及び関連物理ディスク性能表示ボタン７４５を含む。
【０３４２】
記憶領域選択情報７４１は、ＲＡＩＤグループ稼動分析情報６４０の一部又は全部を含む。また、記憶領域選択情報７４１は、選択フィールド７４４を含む。
【０３４３】
本説明図の記憶領域選択情報７４１は、ＲＡＩＤグループ稼動分析情報６４０の記憶装置番号６４１０、測定期間６４４０、選択フラグ６４５０、ＲＡＩＤグループ番号６４２１及び記憶領域番号６４３１を含む。
【０３４４】
選択フィールド７４４は、当該レコードの記憶領域が選択されているかどうかを示す。本説明図のＲＡＩＤグループ稼動分析画面７４０において、管理者は、記憶装置Ｂ１０２の論理記憶領域２３２を選択している。
【０３４５】
性能グラフ７４８は、ＲＡＩＤグループ稼動分析情報６４０に基づいて作成される。本説明図の性能グラフ７４８は、ＲＡＩＤグループ稼動分析情報６４０のビジー率６４２３及び６４３３に基づいて、作成されたものである。これによって、本説明図の性能グラフ７４８は、記憶装置Ｂ１０２のＲＡＩＤグループ２００等の性能を示す。更に、本説明図の性能グラフ７４８は、当該ＲＡＩＤグループ２００等に属する論理記憶領域２３２等の性能を示す。
【０３４６】
なお、性能グラフ７４８では、ＲＡＩＤグループ稼動分析情報６４０の選択フラグ６４５０に「＊」が格納されているレコードに関するグラフが、強調されたり、点滅したりしてもよい。これによって、管理者は、選択した記憶領域に関する性能を性能グラフ７４８から容易に把握できる。
【０３４７】
性能グラフ７４８は、本説明図に限定されるものでなく、折れ線グラフ等の異なる形式のグラフであってもよい。また、ＲＡＩＤグループ稼動分析画面７４０は、性能グラフ７４８の代わりに、ＲＡＩＤグループの性能を示すテーブル等を含んでいてもよい。
【０３４８】
管理者は、ＲＡＩＤグループ稼動分析画面７４０を分析することによって、記憶装置１０１等のＲＡＩＤグループ２００等の状況を把握できる。本説明図のＲＡＩＤグループ稼動分析画面７４０によると、管理者は、ＲＡＩＤグループ２００には二つの記憶領域２３２及び２３４が含まれることを把握する。よって、管理者は、これら二つの記憶領域２３２及び２３４が互いのＩＯの影響を受けることを把握できる。
【０３４９】
関連外部記憶装置ポート性能表示ボタン７４３が操作されると、管理計算機５００は、外部記憶装置ポートトラフィック分析画面７３０（図２３）をディスプレイ５１５に表示させる。
【０３５０】
関連物理ディスク性能表示ボタン７４５が操作されると、管理計算機５００は、物理ディスク稼動分析情報６５０（図２７で後述する。）を作成する。なお、管理計算機５００の物理ディスク稼動分析情報６５０の作成処理は、図２８で後述する。
【０３５１】
次に、管理計算機５００は、作成した物理ディスク稼動分析情報６５０に基づいて、物理ディスク稼動分析画面（図２９で後述する。）を作成する。そして、作成した物理ディスク稼動分析画面を、ディスプレイ５１５に表示させる。
【０３５２】
図２７は、第１の実施の形態の管理計算機５００の物理ディスク稼動分析情報６５０の構成図である。
【０３５３】
物理ディスク稼動分析情報６５０は、記憶装置番号６５１０、ＲＡＩＤグループ性能情報６５２０、物理ディスク性能情報６５３０、測定期間６５４０及び選択フラグ６５５０を含む。
【０３５４】
記憶装置番号６５１０は、記憶装置１０１等の一意な識別子である。
【０３５５】
ＲＡＩＤグループ性能情報６５２０は、ＲＡＩＤグループ番号６５２１及びビジー率６５２３を含む。
【０３５６】
ＲＡＩＤグループ番号６５２１は、当該記憶装置１０１等のＲＡＩＤグループ２００等の一意な識別子である。ビジー率６５２３は、当該ＲＡＩＤグループ２００等のビジー状態の時間が測定時間中に占める割り合いである。
【０３５７】
物理ディスク性能情報６５３０は、物理ディスク番号６５３１及びビジー率６５３３を含む。
【０３５８】
物理ディスク６５３１は、当該ＲＡＩＤグループ２００等を構成する物理ディスク１６１等の一意な識別子である。ビジー率６５３３は、当該物理ディスク１６１等のビジー状態の時間が測定時間中に占める割り合いである。
【０３５９】
測定期間６５４０は、当該レコードのビジー率６５２３及び６５３３が測定された期間である。選択フラグ６５５０は、当該レコードのＲＡＩＤグループ２００等が管理者によって選択されたかどうかを示す。
【０３６０】
図２８は、第１の実施の形態の管理計算機５００の物理ディスク稼動分析情報６５０の作成処理のフローチャートである。
【０３６１】
ＲＡＩＤグループ稼動分析画面７４０の関連物理ディスク性能表示ボタン７４５が操作されると、管理計算機５００は、物理ディスク稼動分析情報６５０の作成処理を開始する。
【０３６２】
まず、管理計算機５００の性能報告画面遷移制御プログラム５２５は、ＲＡＩＤグループ稼動分析画面７４０で指定されている情報を取得する。具体的には、性能報告画面遷移制御プログラム５２５は、ＲＡＩＤグループ稼動分析画面７４０から、記憶装置番号及び測定期間を取得する。更に、性能報告画面遷移制御プログラム５２５は、ＲＡＩＤグループ稼動分析画面７４０の選択フィールド７３４で選択されたレコードのＲＡＩＤグループ番号を取得する（Ｓ１４１０）。
【０３６３】
本実施の形態では、性能報告画面遷移制御プログラム５２５は、記憶装置番号の「１０２」、ＲＡＩＤグループ番号の「２００」及び測定期間の「２００５／８／１  ０：００  〜  ２００５／８／１  ２３：５９」を取得する。
【０３６４】
次に、管理計算機５００の構成情報取得プログラム５２１は、性能報告画面遷移制御プログラム５２５が取得した外部記憶装置番号の「１０２」に対応する記憶装置Ｂ１０２を特定する。次に、構成情報取得プログラム５２１は、特定した記憶装置Ｂ１０２のＲＡＩＤグループ物理ディスクマッピング情報１２６のすべてのレコードを、順番に選択する（Ｓ１４１５）。そして、管理計算機５００は、選択したレコードに対して、ステップＳ１４２０からステップＳ１４５０までの処理を繰り返す。
【０３６５】
構成情報取得プログラム５２１は、選択したレコードから、ＲＡＩＤグループ番号１２６１及び物理ディスク番号１２６２を抽出する（Ｓ１４２０）。
【０３６６】
次に、管理計算機５００の性能情報取得プログラム５２３は、性能報告画面遷移制御プログラム５２５が取得した外部記憶装置番号の「１０２」に対応する記憶装置Ｂ１０２を特定する。次に、性能情報取得プログラム５２３は、特定した記憶装置Ｂ１０２のＲＡＩＤグループ性能情報１２５（図１０）から、ＲＡＩＤグループ２００等の性能に関する情報を抽出する。
【０３６７】
本実施の形態では、性能情報取得プログラム５２３は、構成情報取得プログラムが抽出したＲＡＩＤグループ番号１２６１とＲＡＩＤグループ性能情報１２５のＲＡＩＤグループ番号１２５２とが一致するすべてのレコードを、記憶装置Ｂ１０２のＲＡＩＤグループ性能情報１２５から選択する。次に、性能情報取得プログラム５２３は、性能報告画面遷移制御プログラム５２５が取得した測定期間とＲＡＩＤグループ性能情報１２５の測定期間１２５４とが一致するレコードを、選択したレコードから特定する。
【０３６８】
そして、性能情報取得プログラム５２３は、特定したレコードから、ビジー率１２５３を抽出する（Ｓ１４３０）。
【０３６９】
次に、性能情報取得プログラム５２３は、記憶装置Ｂ１０２の物理ディスク性能情報１２７（図１１）から、物理ディスクの性能に関する情報を抽出する。
【０３７０】
本実施の形態では、性能情報取得プログラム５２３は、構成情報取得プログラム５２１がステップＳ１４２０で抽出した物理ディスク番号１２６２と物理ディスク性能情報１２７の物理ディスク番号１２７２とが一致するすべてのレコードを、記憶装置Ｂ１０２の物理ディスク性能情報１２７から選択する。次に、性能情報取得プログラム５２３は、性能報告画面遷移制御プログラム５２５が取得した測定期間と物理ディスク性能情報１２７の測定期間１２７４とが一致するレコードを、選択したレコードから特定する。
【０３７１】
そして、性能情報取得プログラム５２３は、特定したレコードから、ビジー率１２７３を抽出する（Ｓ１４４０）。
【０３７２】
次に、性能報告画面遷移制御プログラム５２５は、物理ディスク稼動分析情報６５０を更新する（Ｓ１４５０）。
【０３７３】
具体的には、性能報告画面遷移制御プログラム５２５は、ステップＳ１４１０で取得した記憶装置番号を、物理ディスク稼動分析情報６５０の記憶装置番号６５１０に格納する。
【０３７４】
次に、性能報告画面遷移制御プログラム５２５は、構成情報取得プログラム５２１がステップＳ１４２０で抽出したＲＡＩＤグループ番号１２６１を、物理ディスク稼動分析情報６５０のＲＡＩＤグループ番号６５２１に格納する。次に、性能報告画面遷移制御プログラム５２５は、性能情報取得プログラム５２３がステップＳ１４３０で抽出したビジー率１２５３を、物理ディスク稼動分析情報６５０のビジー率６５２３に格納する。
【０３７５】
次に、性能報告画面遷移制御プログラム５２５は、構成情報取得プログラム５２１がステップＳ１４２０で抽出した物理ディスク番号１２６２を、物理ディスク稼動分析情報６５０の物理ディスク番号６５３１に格納する。次に、性能報告画面遷移制御プログラム５２５は、性能情報取得プログラム５２３がステップＳ１４４０で抽出したビジー率１２７３を、物理ディスク稼動分析情報６５０のビジー率６５３３に格納する。
【０３７６】
次に、性能報告画面遷移制御プログラム５２５は、ステップＳ１４１０で取得した測定期間を、物理ディスク稼動分析情報６５０の測定期間６５４０に格納する。
【０３７７】
次に、性能報告画面遷移制御プログラム５２５は、ステップＳ１４１０で取得したＲＡＩＤグループ番号と物理ディスク稼動分析情報６５０のＲＡＩＤグループ番号６５２１とが一致するレコードを、物理ディスク稼動分析情報６５０から選択する。そして、選択したレコードの選択フラグ６５５０にアスタリスク「＊」を格納する。
【０３７８】
このようにして、性能報告画面遷移制御プログラム５２５は、物理ディスク稼動分析情報６５０を更新する。
【０３７９】
次に、性能報告画面遷移制御プログラム５２５は、構成情報取得プログラム５２１がステップＳ１４１５でＲＡＩＤグループ物理ディスクマッピング情報１２６のすべてのレコードを選択したかどうかを判定する（Ｓ１４５５）。
【０３８０】
性能報告画面遷移制御プログラム５２５は、すべてのレコードが選択されていないと判定すると、ステップＳ１４１５に戻る。そして、管理計算機５００は、選択されていないレコードに対して、ステップＳ１４１５からステップＳ１４５０までの処理を繰り返す。
【０３８１】
一方、性能報告画面遷移制御プログラム５２５は、すべてのレコードが選択されたと判定すると、物理ディスク稼動分析情報６５０の作成処理を終了する。
【０３８２】
なお、ステップＳ１４１５において、構成情報取得プログラム５２１は、性能報告画面遷移制御プログラム５２５がステップＳ１４１０で取得したＲＡＩＤグループ番号とＲＡＩＤグループ物理ディスクマッピング情報１２６のＲＡＩＤグループ番号１２６１とが一致するレコードのみを、ＲＡＩＤグループ物理ディスクマッピング情報１２６から選択してもよい。これによって、管理計算機５００は、ＲＡＩＤグループ稼動分析画面７４０の選択フィールド７４４で選択された論理記憶領域が属するＲＡＩＤグループに対応する情報のみを、物理ディスク稼動分析情報６５０に格納できる。
【０３８３】
性能報告画面遷移制御プログラム５２５は、物理ディスク稼動分析情報６５０を作成すると、当該物理ディスク稼動分析情報６５０に基づいて、物理ディスク稼動分析画面を作成する。そして、作成した物理ディスク稼動分析画面をディスプレイ５１５に表示させる。
【０３８４】
図２９は、第１の実施の形態の管理計算機５００に表示される物理ディスク稼動分析画面７５０の説明図である。
【０３８５】
物理ディスク稼動分析画面７５０は、ＲＡＩＤグループ選択情報７５１、性能グラフ７５８及び関連ＲＡＩＤグループ性能表示ボタン７５５を含む。
【０３８６】
ＲＡＩＤグループ選択情報７５１は、物理ディスク稼動分析情報６５０の一部又は全部を含む。また、ＲＡＩＤグループ選択情報７５１は、選択フィールド７５４を含む。
【０３８７】
本説明図の記憶領域選択情報７５１は、物理ディスク稼動分析情報６５０の記憶装置番号６５１０、測定期間６５４０、選択フラグ６５５０、ＲＡＩＤグループ番号６５２１及び物理ディスク番号６５３１を含む。
【０３８８】
選択フィールド７５４は、当該レコードのＲＡＩＤグループ２００等が選択されているかどうかを示す。本説明図の物理ディスク稼動分析画面７５０において、管理者は、記憶装置Ｂ１０２のＲＡＩＤグループ２００を選択している。
【０３８９】
性能グラフ７５８は、物理ディスク稼動分析情報６５０に基づいて作成される。本説明図の性能グラフ７５８は、物理ディスク稼動分析情報６５０のビジー率６５２３及び６５３３に基づいて、作成されたものである。これによって、本説明図の性能グラフ７５８は、記憶装置Ｂ１０２のＲＡＩＤグループ２００等の性能を示す。更に、本説明図の性能グラフ７５８は、当該ＲＡＩＤグループ２００等を構成する物理ディスクの性能を示す。
【０３９０】
なお、性能グラフ７５８では、物理ディスク稼動分析情報６５０の選択フラグ６５５０に「＊」が格納されているレコードに関するグラフが、強調されたり、点滅したりしてもよい。これによって、管理者は、選択したＲＡＩＤグループに関する性能を性能グラフ７５８から容易に把握できる。
【０３９１】
性能グラフ７５８は、本説明図に限定されるものでなく、折れ線グラフ等の異なる形式のグラフであってもよい。また、物理ディスク稼動分析画面７５０は、性能グラフ７５８の代わりに、物理ディスクの性能を示すテーブル等を含んでいてもよい。
【０３９２】
関連ＲＡＩＤグループ性能表示ボタン７５５が操作されると、管理計算機５００は、ＲＡＩＤグループ稼動分析画面７４０（図２６）をディスプレイ５１５に表示させる。
【０３９３】
以上のように、管理計算機５００は、データの送信経路をたどりながら、送信経路上の構成部位の性能を表示する。
【０３９４】
具体的には、管理計算機５００は、計算機Ａ３０１が記憶装置Ａ１０１の仮想記憶領域１３２に書き込みを要求するデータの送信経路をたどった。そして、管理計算機５００は、当該送信経路上に存在する記憶装置Ａ１０１のＦＣポート１５０Ａ、記憶装置Ａ１０１の仮想記憶領域１３２、記憶装置Ａ１０１のＦＣポート１５０Ｅ、記憶装置Ｂ１０２の論理記憶領域２３２及び記憶装置Ｂ１０２のＲＡＩＤグループ２００の性能を表示した。
【０３９５】
（第２の実施の形態）
第２の実施の形態の計算機システムでは、記憶装置１０２ＢのＦＣポート１５０Ｉへのアクセスが競合する。
【０３９６】
第２の実施の形態の計算機システムの構成及び処理は、第１の実施の形態の計算機システムと同一である。よって、同一の構成及び同一の処理の説明は省略する。
【０３９７】
図３０は、第２の実施の形態の計算機システムのアクセスパスの説明図である。
【０３９８】
本説明図は、計算機システムの物理的なパスを省略し、計算機システムの論理的なアクセスパスのみを図示している。
【０３９９】
計算機Ｂ３０２には、記憶装置Ａ１０１の仮想記憶領域１３６が割り当てられている。そのため、計算機Ｂ３０２と記憶装置Ａ１０１の仮想記憶領域１３６との間には、記憶装置Ａ１０１のＦＣポート１５０Ｇを経由するアクセスパスが張られている。つまり、計算機Ｂ３０２が記憶装置Ａ１０１の仮想記憶領域１３６に書き込みを要求するデータは、当該アクセスパスを送信経路として、計算機Ｂ３０２から記憶装置Ａ１０１の仮想記憶領域１３６に送信される。
【０４００】
なお、仮想記憶領域１３６は、仮想的な記憶領域であり、実際にデータを記憶できない。そこで、記憶装置Ａ１０１は、記憶装置Ｂ１０２の論理記憶領域２４１を、自らの仮想記憶領域１３６として計算機Ｂ３０１に提供する。
【０４０１】
また、記憶装置Ａ１０１の仮想記憶領域１３６と記憶装置Ｂ１０２の論理記憶領域２４１との間には、記憶装置Ａ１０１のＦＣポート１５０Ｈ及び記憶装置Ｂ１０２のＦＣポート１５０Ｉを経由するアクセスパスが張られている。つまり、計算機Ｂ３０２が記憶装置Ａ１０１の仮想記憶領域１３６に書き込みを要求するデータは、当該アクセスパスを送信経路として、記憶装置Ａ１０１の仮想記憶領域１３６から記憶装置Ｂ１０２の論理記憶領域２４１に送信される。
【０４０２】
また、計算機Ｃ３０３には、記憶装置Ｂ１０２の論理記憶領域２４２が割り当てられている。そのため、計算機Ｃ３０３と記憶装置Ｂ１０２の論理記憶領域２４２との間には、記憶装置Ｂ１０２のＦＣポート１５０Ｉを経由するアクセスパスが張られている。つまり、計算機Ｃ３０３が記憶装置Ｂ１０２の論理記憶領域２４２に書き込みを要求するデータは、当該アクセスパスを送信経路として、計算機Ｃ３０３から記憶装置Ｂ１０２の論理記憶領域２４２に送信される。
【０４０３】
つまり、記憶装置Ｂ１０２のＦＣポート１５０Ｉでは、記憶装置Ａ１０１のＩＯと計算機Ｃ３０３のＩＯとが競合する。管理者は、このようなＩＯの競合を、管理計算機５００の表示画面から把握できる。
【０４０４】
具体的には、管理計算機５００は、第１の実施の形態と同様に、Ｔａｒｇｅｔポートトラフィック分析画面７１０、Ｅｘｔｅｒｎａｌポートトラフィック分析画面７２０、外部記憶装置ポートトラフィック分析画面７３０、ＲＡＩＤグループ稼動分析画面７４０、物理ディスク稼動分析画面７５０の順に画面を遷移する。このとき、管理者は、Ｔａｒｇｅｔポートトラフィック分析画面７１０及びＥｘｔｅｒｎａｌポートトラフィック分析画面７２０を参照することによって、ＩＯの競合が発生してないことを把握する。
【０４０５】
次に、管理者は、外部記憶装置ポートトラフィック分析画面７３０を参照する。
【０４０６】
図３１は、第２の実施の形態の管理計算機５００に表示される外部記憶装置ポートトラフィック分析画面７３０の説明図である。
【０４０７】
外部記憶装置ポートトラフィック分析画面７３０の構成は、第１の実施の形態の外部記憶装置ポートトラフィック分析画面（図２３）と同一である。同一の構成は、同一の番号を付すことによって説明を省略する。
【０４０８】
管理者は、外部記憶装置ポートトラフィック分析画面７３０を参照することによって、ＦＣポート１５０Ｉの状況を把握できる。具体的には、ＦＣポート１５０Ｉにおいて、論理記憶領域２４１へのＩＯと論理記憶領域２４２へのＩＯとが競合することを管理者は把握する。よって、論理記憶領域２４２へのアクセスの増加によって、記憶装置Ａ１０１の仮想記憶領域１３６へのアクセス性能が低下することを、管理者は予測できる。
【０４０９】
（第３の実施の形態）
第３の実施の形態の計算機システムでは、記憶装置Ｃ１０３が記憶装置Ａ１０１及び記憶装置Ｂ１０２の複製データを記憶する。
【０４１０】
第３の実施の形態の計算機システムの構成及び処理は、第１の実施の形態の計算機システムと同一である。よって、同一の構成及び同一の処理の説明は省略する。
【０４１１】
図３２は、第３の実施の形態の計算機システムのアクセスパスの説明図である。
【０４１２】
本説明図は、計算機システムの物理的なパスを省略し、計算機システムの論理的なアクセスパスのみを図示している。
【０４１３】
計算機Ａ３０１には、記憶装置Ａ１０１の論理記憶領域１３７が割り当てられている。そのため、計算機Ａ３０１と記憶装置Ａ１０１の論理記憶領域１３７との間には、記憶装置Ａ１０１のＦＣポート１５０Ｊを経由するアクセスパスが張られている。つまり、計算機Ａ３０１が記憶装置Ａ１０１の論理記憶領域１３７に書き込みを要求するデータは、当該アクセスパスを送信経路として、計算機Ａ３０１から記憶装置Ａ１０１の論理記憶領域１３７に送信される。
【０４１４】
また、計算機Ｂ３０２には、記憶装置Ｂ１０２の論理記憶領域１３８が割り当てられている。そのため、計算機Ｂ３０２と記憶装置Ｂ１０２の論理記憶領域１３８との間には、記憶装置Ｂ１０２のＦＣポート１５０Ｋを経由するアクセスパスが張られている。つまり、計算機Ｂ３０２が記憶装置Ｂ１０２の論理記憶領域１３８に書き込みを要求するデータは、当該アクセスパスを送信経路として、計算機Ｂ３０２から記憶装置Ｂ１０２の論理記憶領域１３８に送信される。
【０４１５】
記憶装置Ａ１０１は、論理記憶領域１３７のデータを、記憶装置Ｃ１０３の論理記憶領域２４３へコピーする。そのため、記憶装置Ａ１０１の論理記憶領域１３７と記憶装置Ｃ１０３の論理記憶領域２４３との間には、記憶装置Ａ１０１のＦＣポート１５０Ｌ及び記憶装置Ｃ１０３のＦＣポート１５０Ｎを経由するアクセスパスが張られている。つまり、計算機Ａ３０１が記憶装置Ａ１０１の論理記憶領域１３７に書き込みを要求するデータは、当該アクセスパスを送信経路として、記憶装置Ａ１０１の論理記憶領域１３７から記憶装置Ｃ１０３の論理記憶領域２４３に送信される。
【０４１６】
同様に、記憶装置Ｂ１０２は、論理記憶領域１３８のデータを、記憶装置Ｃ１０３の論理記憶領域２４４へコピーする。そのため、記憶装置Ｂ１０２の論理記憶領域１３８と記憶装置Ｃ１０３の論理記憶領域２４４との間には、記憶装置Ｂ１０２のＦＣポート１５０Ｍ及び記憶装置Ｃ１０３のＦＣポート１５０Ｎを経由するアクセスパスが張られている。つまり、計算機Ｂ３０２が記憶装置Ｂ１０２の論理記憶領域１３８に書き込みを要求するデータは、当該アクセスパスを送信経路として、記憶装置Ｂ１０２の論理記憶領域１３８から記憶装置Ｃ１０３の論理記憶領域２４４に送信される。
【０４１７】
よって、第３の実施の形態において、記憶領域構成情報１２２（図５）の実仮フラグ１２２４には、「実」が格納される。
【０４１８】
管理計算機５００は、第１の実施の形態と同様に、Ｔａｒｇｅｔポートトラフィック分析画面７１０、Ｅｘｔｅｒｎａｌポートトラフィック分析画面７２０、外部記憶装置ポートトラフィック分析画面７３０、ＲＡＩＤグループ稼動分析画面７４０、物理ディスク稼動分析画面７５０の順に画面を遷移する。このとき、管理者は、Ｔａｒｇｅｔポートトラフィック分析画面７１０及びＥｘｔｅｒｎａｌポートトラフィック分析画面７２０を参照することによって、ＩＯの競合が発生してないことを把握する。
【０４１９】
管理者は、外部記憶装置ポートトラフィック分析画面７３０を参照する。これによって管理者は、記憶装置Ｃ１０３のＦＣポート１５０Ｎにおいて、論理記憶領域２４３へのＩＯと論理記憶領域２４４へのＩＯとが競合することを把握できる。
【０４２０】
（第４の実施の形態）
第４の実施の形態の計算機システムでは、記憶装置Ｃ１０３が複製記憶領域を備える。
【０４２１】
第４の実施の形態の計算機システムの構成及び処理は、第１の実施の形態の計算機システムと同一である。よって、同一の構成及び同一の処理の説明は省略する。
【０４２２】
図３３は、第４の実施の形態の計算機システムのアクセスパスの説明図である。
【０４２３】
本説明図は、計算機システムの物理的なパスを省略し、計算機システムの論理的なアクセスパスのみを図示している。
【０４２４】
計算機Ｂ３０２には、記憶装置Ｃ１０３の論理記憶領域１４１が割り当てられている。そのため、計算機Ｂ３０２と記憶装置Ｃ１０３の論理記憶領域１４１との間には、記憶装置Ｃ１０３のＦＣポート１５０Ｐを経由するアクセスパスが張られている。つまり、計算機Ｂ３０２が記憶装置Ｃ１０３の論理記憶領域１４１に書き込みを要求するデータは、当該アクセスパスを送信経路として、計算機Ｂ３０２から記憶装置Ｃ１０３の論理記憶領域１４１に送信される。
【０４２５】
計算機Ｃ３０３には、記憶装置Ｃ１０３の論理記憶領域１４４が割り当てられている。そのため、計算機Ｃ３０３と記憶装置Ｃ１０３の論理記憶領域１４４との間には、記憶装置Ｃ１０３のＦＣポート１５０Ｑを経由するアクセスパスが張られている。つまり、計算機Ｃ３０３が記憶装置Ｃ１０３の論理記憶領域１４４に書き込みを要求するデータは、当該アクセスパスを送信経路として、計算機Ｃ３０３から記憶装置Ｃ１０３の論理記憶領域１４４に送信される。
【０４２６】
記憶装置Ｃ１０３は、データコピー機能を用いて、論理記憶領域１４１のデータを、複製記憶領域１４２へコピーする。そのため、記憶装置Ｃ１０３の論理記憶領域１４１と記憶装置Ｃ１０３の複製記憶領域１４２との間には、アクセスパスが張られている。つまり、計算機Ｂ３０２が記憶装置Ｃ１０３の論理記憶領域１４１に書き込みを要求するデータは、当該アクセスパスを送信経路として、記憶装置Ｃ１０３の論理記憶領域１４１から記憶装置Ｃ１０３の複製記憶領域１４２に送信される。
【０４２７】
同様に、記憶装置Ｃ１０３は、データコピー機能を用いて、論理記憶領域１４４のデータを、複製記憶領域１４３へコピーする。そのため、記憶装置Ｃ１０３の論理記憶領域１４４と記憶装置Ｃ１０３の複製記憶領域１４３との間には、アクセスパスが張られている。つまり、計算機Ｃ３０３が記憶装置Ｃ１０３の論理記憶領域１４４に書き込みを要求するデータは、当該アクセスパスを送信経路として、記憶装置Ｃ１０３の論理記憶領域１４４から記憶装置Ｃ１０３の複製記憶領域１４３に送信される。
【０４２８】
なお、複製記憶領域１４２及び１４３は、ＲＡＩＤグループ２３０に属する。
【０４２９】
第４の実施の形態の記憶装置Ｃ１０３は、複製記憶領域１４２及び１４３を管理するために、複製記憶領域構成情報１２８を制御メモリ１２０に記憶する。第４の実施の形態の記憶装置１０１等のそれ以外の構成は、第１の実施の形態の記憶装置（図２）と同一なので、説明を省略する。
【０４３０】
図３４は、第４の実施の形態の複製記憶領域構成情報１２８の構成図である。
【０４３１】
複製記憶領域構成情報１２８は、ＦＣポート番号１２８１、記憶領域番号１２８２、計算機識別番号１２８３及び複製記憶領域番号１２８４を含む。
【０４３２】
ＦＣポート番号１２８１は、記憶装置Ｃ１０３の一意な識別子である。記憶領域番号１２８２は、当該ＦＣポートを経由してアクセスされる論理記憶領域の一意な識別子である。計算機識別番号１２８３は、当該論理記憶領域にアクセスする計算機３０１等の一意な識別子である。複製記憶領域番号１２８４は、当該論理記憶領域のデータが複製されている論理記憶領域（複製記憶領域）の一意な識別子である。
【０４３３】
管理計算機５００は、複製記憶領域構成情報１２８に基づいて、ＦＣポートトラフィック分析画面７６０を作成する。
【０４３４】
図３５は、第４の実施の形態の管理計算機５００に表示されるＦＣポートトラフィック分析画面７６０の説明図である。
【０４３５】
ＦＣポートトラフィック分析画面７６０は、記憶領域選択情報７６１、性能グラフ７６８及び関連ＲＡＩＤグループ性能表示ボタン７６５を含む。
【０４３６】
記憶領域選択情報７６１は、複製記憶領域構成情報１２８の一部又は全部を含む。また、記憶領域選択情報７６１は、選択フィールドを含む。
【０４３７】
選択フィールドは、当該レコードの複製記憶領域が選択されているかどうかを示す。本説明図のＦＣポートトラフィック分析画面７６０において、管理者は、複製記憶領域１４２を選択している。
【０４３８】
性能グラフ７６８は、記憶装置Ｃ１０３のＦＣポート１５０Ｐの性能を示す。更に、性能グラフ７６８は、記憶装置Ｃ１０３の論理記憶領域１４１及び複製記憶領域１４２の性能を示す。
【０４３９】
なお、性能グラフ７６８は、本説明図に限定されるものでなく、折れ線グラフ等の異なる形式のグラフであってもよい。
【０４４０】
管理者は、ＦＣポートトラフィック分析画面７６０を参照することによって、記憶装置Ｃ１０３のＦＣポート１５０Ｐの状況を把握できる。本説明図のＦＣポートトラフィック分析画面７６０によると、管理者は、ＦＣポート１５０ＰにおいてＩＯの競合が発生しないと把握する。
【０４４１】
関連ＲＡＩＤグループ性能表示ボタン７６５が操作されると、管理計算機５００は、複製記憶領域稼動分析画面（図３６で後述する。）を作成する。そして、管理計算機５００は、作成した複製記憶領域稼動分析画面を、ディスプレイ５１５に表示させる。
【０４４２】
図３６は、第４の実施の形態の管理計算機５００に表示される複製記憶領域稼動分析画面７７０の説明図である。
【０４４３】
複製記憶領域稼動分析画面７７０は、複製記憶領域選択情報７７１、性能グラフ７７８及び関連ポート性能表示ボタン７７５を含む。
【０４４４】
記憶領域選択情報７７１は、複製記憶領域とＲＡＩＤグループとの対応に関する情報及び選択フィールドを含む。
【０４４５】
選択フィールドは、当該複製記憶領域が選択されているかどうかを示す。本説明図の複製記憶領域稼動分析画面７７０において、管理者は、複製記憶領域１４２を選択している。
【０４４６】
性能グラフ７７８は、記憶装置Ｃ１０３のＲＡＩＤグループ２３０の性能を示す。更に、性能グラフ７７８は、当該ＲＡＩＤグループ２３０に属する複製記憶領域１４２等の性能を示す。なお、性能グラフ７７８は、本説明図に限定されるものでなく、折れ線グラフ等の異なる形式のグラフであってもよい。
【０４４７】
管理者は、複製記憶領域稼動分析画面７７０を参照することによって、記憶装置Ｃ１０３の複製記憶領域１４２の状況を把握できる。本説明図のＦＣポートトラフィック分析画面７６０によると、管理者は、二つの複製記憶領域１４２及び１４３が同一のＲＡＩＤグループ２３０に属することを把握できる。
【０４４８】
関連ポート性能表示ボタン７７５が操作されると、管理計算機５００は、ＦＣポートトラフィック分析画面７６０（図３５）を、ディスプレイ５１５に表示させる。
【図面の簡単な説明】
【０４４９】
【図１】第１の実施の形態の計算機システムのブロック図である。
【図２】第１の実施の形態の記憶装置のブロック図である。
【図３】第１の実施の形態の管理計算機５００のブロック図である。
【図４】第１の実施の形態の計算機システムのアクセスパスの説明図である。
【図５】第１の実施の形態の記憶装置の記憶領域構成情報の構成図である。
【図６】第１の実施の形態の記憶装置の記憶領域ＲＡＩＤグループマッピング情報の構成図である。
【図７】第１の実施の形態の記憶装置のＲＡＩＤグループ物理ディスクマッピング情報の構成図である。
【図８Ａ】第１の実施の形態の記憶装置ＡのＦＣポート性能情報の構成図である。
【図８Ｂ】第１の実施の形態の記憶装置ＢのＦＣポート性能情報の構成図である。
【図９Ａ】第１の実施の形態の記憶装置Ａの記憶領域性能情報の構成図である。
【図９Ｂ】第１の実施の形態の記憶装置Ｂの記憶領域性能情報の構成図である。
【図１０】第１の実施の形態の記憶装置のＲＡＩＤグループ性能情報の構成図である。
【図１１】第１の実施の形態の記憶装置の物理ディスク性能情報の構成図である。
【図１２】第１の実施の形態の管理計算機の管理デバイス情報の構成図である。
【図１３】第１の実施の形態の管理計算機に表示される記憶装置一覧画面の説明図である。
【図１４】第１の実施の形態の管理計算機のＴａｒｇｅｔポートトラフィック分析情報の構成図である。
【図１５】第１の実施の形態の管理計算機のＴａｒｇｅｔポートトラフィック分析情報の作成処理のフローチャートである。
【図１６】第１の実施の形態の管理計算機に表示されるＴａｒｇｅｔポートトラフィック分析画面の説明図である。
【図１７】第１の実施の形態のＴａｒｇｅｔポートトラフィック分析画面の性能グラフの表示形態の説明図である。
【図１８】第１の実施の形態の管理計算機のＥｘｔｅｒｎａｌポートトラフィック分析情報の構成図である。
【図１９】第１の実施の形態の管理計算機のＥｘｔｅｒｎａｌポートトラフィック分析情報の作成処理のフローチャートである。
【図２０】第１の実施の形態の管理計算機に表示されるＥｘｔｅｒｎａｌポートトラフィック分析画面の説明図である。
【図２１】第１の実施の形態の外部記憶装置ポートトラフィック分析情報６３０の構成図である。
【図２２】第１の実施の形態の管理計算機の外部記憶装置ポートトラフィック分析情報の作成処理のフローチャートである。
【図２３】第１の実施の形態の管理計算機に表示される外部記憶装置ポートトラフィック分析画面の説明図である。
【図２４】第１の実施の形態の管理計算機のＲＡＩＤグループ稼動分析情報の構成図である。
【図２５】第１の実施の形態の管理計算機のＲＡＩＤグループ稼動分析情報の作成処理のフローチャートである。
【図２６】第１の実施の形態の管理計算機に表示されるＲＡＩＤグループ稼動分析画面の説明図である。
【図２７】第１の実施の形態の管理計算機の物理ディスク稼動分析情報の構成図である。
【図２８】第１の実施の形態の管理計算機の物理ディスク稼動分析情報の作成処理のフローチャートである。
【図２９】第１の実施の形態の管理計算機に表示される物理ディスク稼動分析画面の説明図である。
【図３０】第２の実施の形態の計算機システムのアクセスパスの説明図である。
【図３１】第２の実施の形態の管理計算機に表示される外部記憶装置ポートトラフィック分析画面の説明図である。
【図３２】第３の実施の形態の計算機システムのアクセスパスの説明図である。
【図３３】第４の実施の形態の計算機システムのアクセスパスの説明図である。
【図３４】第４の実施の形態の複製記憶領域構成情報の構成図である。
【図３５】第４の実施の形態の管理計算機に表示されるＦＣポートトラフィック分析画面の説明図である。
【図３６】第４の実施の形態の管理計算機に表示される複製記憶領域稼動分析画面の説明図である。
【符号の説明】
【０４５０】
９０  管理ネットワーク
１０１  記憶装置Ａ
１０２  記憶装置Ｂ
１０３  記憶装置Ｃ
１１０  ストレージコントローラ
１１５  ディスクコントローラ
１２０  制御メモリ
１２１  ＦＣポート性能情報
１２２  記憶領域構成情報
１２３  記憶領域性能情報
１２４  記憶領域ＲＡＩＤグループマッピング情報
１２５  ＲＡＩＤグループ性能情報
１２６  ＲＡＩＤグループ物理ディスクマッピング情報
１２７  物理ディスク性能情報
１２９  キャッシュメモリ
１５０  ＦＣポート
１６１、１６２、１６３、１６４、１６５、１６６、１６７、１６８  物理ディスク
３０１  計算機Ａ
３０２  計算機Ｂ
３０３  計算機Ｃ
４００  ＳＡＮ
５００  管理計算機
５１０  ＣＰＵ
５１３  入力部
５１５  ディスプレイ
５２０  メモリ
５２１  構成情報取得プログラム
５２２  管理デバイス情報
５２３  性能情報取得プログラム
５２５  性能報告画面遷移制御プログラム
６１０  Ｔａｒｇｅｔポートトラフィック分析情報
６２０  Ｅｘｔｅｒｎａｌポートトラフィック分析情報
６３０  外部記憶装置ポートトラフィック分析情報
６４０  ＲＡＩＤグループ稼動分析情報
６５０  物理ディスク稼動分析情報
【図１】
0004843294.tif 000002
【図２】
0004843294.tif 000003
【図３】
0004843294.tif 000004
【図４】
0004843294.tif 000005
【図５】
0004843294.tif 000006
【図６】
0004843294.tif 000007
【図７】
0004843294.tif 000008
【図８Ａ】
0004843294.tif 000009
【図８Ｂ】
0004843294.tif 000010
【図９Ａ】
0004843294.tif 000011
【図９Ｂ】
0004843294.tif 000012
【図１０】
0004843294.tif 000013
【図１１】
0004843294.tif 000014
【図１２】
0004843294.tif 000015
【図１３】
0004843294.tif 000016
【図１４】
0004843294.tif 000017
【図１５】
0004843294.tif 000018
【図１６】
0004843294.tif 000019
【図１７】
0004843294.tif 000020
【図１８】
0004843294.tif 000021
【図１９】
0004843294.tif 000022
【図２０】
0004843294.tif 000023
【図２１】
0004843294.tif 000024
【図２２】
0004843294.tif 000025
【図２３】
0004843294.tif 000026
【図２４】
0004843294.tif 000027
【図２５】
0004843294.tif 000028
【図２６】
0004843294.tif 000029
【図２７】
0004843294.tif 000030
【図２８】
0004843294.tif 000031
【図２９】
0004843294.tif 000032
【図３０】
0004843294.tif 000033
【図３１】
0004843294.tif 000034
【図３２】
0004843294.tif 000035
【図３３】
0004843294.tif 000036
【図３４】
0004843294.tif 000037
【図３５】
0004843294.tif 000038
【図３６】
0004843294.tif 000039